(57)【特許請求の範囲】
【請求項１】
左側エンドフレーム及び右側エンドフレームと、
露出された第１のタップ支持部が上段部に形成され、前記第１のタップ支持部の下方左側に左側が開放された左側収容部及び下方右側に右側が開放された右側収容部が形成され、
前記左側エンドフレームと右側エンドフレームとの間に隣り合って設置される多数個のメインフレームと、
露出された第２のタップ支持部が上段部に形成され、前記多数個のメインフレームのうち隣り合う２個のメインフレームのうち、左側メインフレームの右側収容部と右側メインフレームの左側収容部との間に設置されるように、左側が前記左側メインフレームに締結され、右側が前記右側メインフレームに締結されるセンターフレームと、
パウチの周面の左側に切曲された左側電極タップ及び右側に切曲された右側電極タップが各々突出形成され、前記多数個の左側収容部と右側収容部のうち隣り合う２個の収容部からなる特定群収容部の左側に隣り合って位置する左側群収容部のそれぞれの左側収容部及び前記特定群収容部の右側に隣り合って位置する右側群収容部のそれぞれの左側収容部に収容される第１のタイプリチウム２次電池と、
前記第１のタイプリチウム２次電池の右側電極タップと対向する方向に反対極性の左側電極タップが突出形成され、前記第１のタイプリチウム２次電池の左側電極タップと対向する方向に反対極性の右側電極タップが突出形成され、前記左側群収容部のそれぞれの右側収容部及び前記右側群収容部のそれぞれの右側収容部に収容される第２のタイプリチウム２次電池と、
前記第１のタップ支持部に装着され、前記第１のタイプリチウム２次電池の右側電極タップ及び前記第２のタイプリチウム２次電池の左側電極タップを直列に通電可能に固定連結する第１の締結手段と、
前記第２のタップ支持部に装着され、前記第２のタイプリチウム２次電池の右側電極タップ及び前記第１のタイプリチウム２次電池の左側電極タップを直列に通電可能に固定連結する第２の締結手段と、
前記左側群収容部と前記特定群収容部との間に位置するタップ支持部に装着される左側バスバー締結手段によって、前記左側群収容部の右側端収容部に収容されるリチウム２次電池の右側電極タップと通電可能に連結される左側バスバーと、
前記特定群収容部と前記右側群収容部との間に位置するタップ支持部に装着される右側バスバー締結手段によって、前記右側群収容部の左側端収容部に収容されるリチウム２次電池の左側電極タップと通電可能に連結される右側バスバーと、
前記左側バスバー及び右側バスバーと直列に通電可能に連結される過電流遮断装置と、
を含むことを特徴とするバスバーを備えたリチウム２次電池単位セット。
【請求項２】
前記第１の締結手段は、上部にボルトが突出形成される第１の下部固定板と、前記第１の下部固定板のボルトが貫通される第１の上部固定板と、前記第１の上部固定板を貫通した前記第１の下部固定板のボルト端部に締結される第１の締結部材と、を含み、
前記第２の締結手段は、上部にボルトが突出形成される第２の下部固定板と、前記第２の下部固定板のボルトが貫通される第２の上部固定板と、前記第２の上部固定板を貫通した前記第２の下部固定板のボルト端部に締結される第２の締結部材と、を含み、
前記左側バスバー締結手段は、上部にボルトが突出形成される左側バスバー固定板と、前記左側バスバー固定板を貫通した前記左側バスバー固定板のボルト端部に締結される左側バスバー締結部材と、を含み、
前記左側バスバーは、前記左側バスバー固定板に装着され、前記左側バスバー固定板のボルトが貫通される左側バスバー締結板を含み、
前記右側バスバー締結手段は、上部にボルトが突出形成される右側バスバー固定板と、前記右側バスバー固定板を貫通した前記右側バスバー固定板のボルト端部に締結される右側バスバー締結部材と、を含み、
前記右側バスバーは、前記右側バスバー固定板に装着され、前記右側バスバー固定板のボルトが貫通される右側バスバー締結板を含むことを特徴とする請求項１に記載のバスバーを備えたリチウム２次電池単位セット。
【請求項３】
前記左側バスバー固定板と前記左側バスバー締結板との間には前記第１のタイプリチウム２次電池の左側電極タップと同一材質のダミー（ｄｕｍｍｙ）電極タップが固定され、
前記右側バスバー固定板と前記右側バスバー締結板との間には前記第２のタイプリチウム２次電池の右側電極タップと同一材質のダミー（ｄｕｍｍｙ）電極タップが固定されることを特徴とする請求項２に記載のバスバーを備えたリチウム２次電池単位セット。
【請求項４】
前記左側エンドフレームは、露出された第３のタップ支持部が上段部に形成され、前記多数個のメインフレームのうち左側端メインフレームの左側に締結され、
前記右側エンドフレームは、露出された第４のタップ支持部が上段部に形成され、前記多数個のメインフレームのうち右側端メインフレームの右側に締結され、
前記第３のタップ支持部には、上部にボルトが突出形成される第３の下部固定板と、前記第３の下部固定板のボルトが貫通される第３の上部固定板と、前記第３の上部固定板を貫通した前記第３の下部固定板のボルト端部に締結される第３の締結部材と、を備える第３の締結手段が装着され、
前記第４のタップ支持部には、上部にボルトが突出形成される第４の下部固定板と、前記第４の下部固定板のボルトが貫通される第４の上部固定板と、前記第４の上部固定板を貫通した前記第４の下部固定板のボルト端部に締結される第４の締結部材と、を備える第４の締結手段が装着され、
前記第３の締結手段は、前記第３の下部固定板と第３の上部固定板との間に前記多数個のメインフレームのうち左側端メインフレームに収容された第１のタイプリチウム２次電池の左側電極タップを固定させ、
前記第４の締結手段は、前記第４の下部固定板と第４の上部固定板との間に前記多数個のメインフレームのうち右側端メインフレームに収容された第２のタイプリチウム２次電池の左側電極タップを固定させることを特徴とする請求項１ないし請求項３のうちいずれか一項に記載のバスバーを備えたリチウム２次電池単位セット。
【請求項５】
前記第３の下部固定板と第３の上部固定板との間には前記第２のタイプリチウム２次電池の右側電極タップと同一材質のダミー（ｄｕｍｍｙ）電極タップが固定され、
前記第４の下部固定板と第４の上部固定板との間には前記第１のタイプリチウム２次電池の左側電極タップと同一材質のダミー（ｄｕｍｍｙ）電極タップが固定されることを特徴とする請求項４に記載のバスバーを備えたリチウム２次電池単位セット。
【請求項６】
前記左側群収容部のそれぞれの左側収容部及び前記右側群収容部のそれぞれの左側収容部には、前記第１のタイプリチウム２次電池ｎ個（ここで、ｎは２以上の自然数である。）が相互並列に通電されるようにその左側電極タップ及び右側電極タップが各々上下に積層されて収容され、
前記左側群収容部のそれぞれの右側収容部及び前記右側群収容部のそれぞれの右側収容部には、前記第２のタイプリチウム２次電池ｎ個（ここで、ｎは２以上の自然数である。）が相互並列に通電されるようにその左側電極タップ及び右側電極タップが各々上下に積層されて収容されることを特徴とする請求項１ないし請求項５のうちいずれか一項に記載のバスバーを備えたリチウム２次電池単位セット。
【請求項７】
前記第１の上部固定板、第２の上部固定板、第３の上部固定板、及び第４の上部固定板には固定板コネクターが各々取り付けられ、
前記左側バスバー締結板及び右側バスバー締結板には締結板コネクターが各々取り付けられ、
前記それぞれの固定板コネクター及び締結板コネクターには電圧測定器に連結された電圧測定ライン側のコネクターが挿着されることを特徴とする請求項４ないし請求項６のうちいずれか一項に記載のバスバーを備えたリチウム２次電池単位セット。
【請求項８】
前記左側バスバーは、前記左側バスバー締結板から切曲され、絶縁体によって被覆される一字形の左側バスバー延長部を含み、
前記右側バスバーは、前記右側バスバー締結板から切曲され、絶縁体によって被覆される一字形の右側バスバー延長部を含み、
前記それぞれのメインフレームの上段部には前記第１のタップ支持部の水平延長線上に前記左側バスバー延長部及び右側バスバー延長部をガイドするための“Ｕ”字形の第１のバスバーガイド管が形成され、
前記それぞれのセンターフレームの上段部には前記第２のタップ支持部の水平延長線上に前記左側バスバー延長部及び右側バスバー延長部をガイドするための“Ｕ”字形の第２のバスバーガイド管が形成されることを特徴とする請求項２ないし請求項７のうちいずれか一項に記載のバスバーを備えたリチウム２次電池単位セット。
【請求項９】
前記左側バスバー延長部と右側バスバー延長部は上下に相互積層されるように、前記左側バスバー延長部の一端部と右側バスバー延長部のいずれか一つは、上部または下部に切曲されることを特徴とする請求項８に記載のバスバーを備えたリチウム２次電池単位セット。
【請求項１０】
前記左側バスバー延長部の他端部には、前方または後方に切曲され、前記左側エンドフレームまたは右側エンドフレームに固定され、前記過電流遮断装置に連結される左側バスバー締結タップが形成され、
前記右側バスバー延長部の他端部には、前記左側バスバー締結タップが切曲された方向と反対方向に切曲され、前記左側エンドフレームと右側エンドフレームのうち前記左側バスバー締結タップが固定されたエンドフレームに固定され、前記過電流遮断装置に連結される右側バスバー締結タップが形成されることを特徴とする請求項９に記載のバスバーを備えたリチウム２次電池単位セット。
【請求項１１】
前記それぞれの第１の締結手段及び第２の締結手段の上部に設置される保護蓋をさらに含み、
前記それぞれのメインフレームの上段部には、前記第１のバスバーガイド管を中心に前記第１のタップ支持部の反対方向に前記保護蓋が締結される第１の保護蓋固定部が上方に突出形成され、
前記それぞれのセンターフレームの上段部には、前記第２のバスバーガイド管を中心に前記第２のタップ支持部の反対方向に前記保護蓋が締結される第２の保護蓋固定部が上方に突出形成されることを特徴とする請求項８ないし請求項１０のうちいずれか一項に記載のバスバーを備えたリチウム２次電池単位セット。
【請求項１２】
前記特定群収容部を構成する左側収容部及び右側収容部には、前記左側群収容部の右側端収容部に収容されたリチウム２次電池と前記右側群収容部の左側端収容部に収容されたリチウム２次電池との間の熱伝逹通路となるサーマルパッドが収容されることを特徴とする請求項１ないし請求項１１のうちいずれか一項に記載のバスバーを備えたリチウム２次電池単位セット。
【請求項１３】
前記それぞれのメインフレームは、一字形の底板と、前記底板の前方側端から上方に起立して中央部に空気流通孔が形成される前方垂直板と、前記底板の後方側端から上方に起立して中央部に空気流通孔が形成される後方垂直板と、前記前方垂直板の上方に位置して前方に突出される前方離隔突起と、前記後方垂直板の上方に位置して後方に突出される後方離隔突起と、を含み、
前記前方離隔突起及び後方離隔突起には、各々、一字形管が左右側方向に取り付けられることができる取付溝が上段から引き込まれて形成されることを特徴とする請求項１ないし請求項１２のうちいずれか一項に記載のバスバーを備えたリチウム２次電池単位セット。
【請求項１４】
前記特定群収容部は、前記多数個のメインフレームのうち左側端メインフレームと右側端メインフレームとの間に位置するいずれか一つの特定メインフレームに形成された左側収容部及び右側収容部であることを特徴とする請求項１ないし請求項１３のうちいずれか一項に記載のバスバーを備えたリチウム２次電池単位セット。
【請求項１５】
前記前方垂直板及び後方垂直板には、各々、左側端と右側端から引き込まれる左側溝及び右側溝が形成され、
前記センターフレームには、前方外側面から内側に引き込まれて左側面及び右側面を貫通し、前記隣り合うメインフレームのうち左側メインフレームの前方垂直板の右側溝及び右側メインフレームの前方垂直板の左側溝が形成する貫通孔に連通される温度センサー前方挿着溝が形成され、
後方外側面から内側に引き込まれて左側面及び右側面を貫通し、前記隣り合うメインフレームのうち左側メインフレームの後方垂直板の右側溝及び右側メインフレームの後方垂直板の左側溝が形成する貫通孔に連通される温度センサー後方挿着溝が形成されることを特徴とする請求項１３又は１４に記載のバスバーを備えたリチウム２次電池単位セット。
【請求項１６】
前記前方離隔突起は、後端部に形成される小幅部と、小幅部に連接して左右側に突出されて前端部に形成される大幅部と、を含み、
前記後方離隔突起は、前端部に形成される小幅部と、小幅部に連接して左右側に突出されて後端部に形成される大幅部と、を含み、
前記前方離隔突起の取付溝は、一部が前記前方離隔突起の小幅部に形成され、残りは大幅部に形成され、
前記後方離隔突起の取付溝は、一部が前記後方離隔突起の小幅部に形成され、残りは大幅部に形成され、
温度測定器に連結された温度測定ラインのうち前記隣り合う２個のメインフレームのうち、左側メインフレームの前方離隔突起の小幅部と右側メインフレームの前方離隔突起の小幅部とが形成する隙間を通してガイドされた温度測定ラインは、前記温度センサー前方挿着溝に挿着された温度センサーに連結され、
温度測定器に連結された温度測定ラインのうち前記隣り合う２個のメインフレームのうち、左側メインフレームの後方離隔突起の小幅部と右側メインフレームの後方離隔突起の小幅部とが形成する隙間を通してガイドされた温度測定ラインは、前記温度センサー後方挿着溝に挿着された温度センサーに連結されることを特徴とする請求項１３ないし請求項１５のうちいずれか一項に記載のバスバーを備えたリチウム２次電池単位セット。
【請求項１７】
前記前方離隔突起は、後端部に形成される小幅部と、小幅部に連接して左右側に突出されて前端部に形成される大幅部と、を含み、
前記後方離隔突起は、前端部に形成される小幅部と、小幅部に連接して左右側に突出されて後端部に形成される大幅部と、を含み、
前記前方離隔突起の取付溝は、一部が前記前方離隔突起の小幅部に形成され、残りは大幅部に形成され、
前記後方離隔突起の取付溝は、一部が前記後方離隔突起の小幅部に形成され、残りは大幅部に形成され、
前記左側群収容部が形成される左側群メインフレームと前記右側群収容部が形成される右側群メインフレームのうち隣り合って設置されるメインフレームのうち、左側メインフレームの前方離隔突起の小幅部と右側メインフレームの前方離隔突起の小幅部とが形成する隙間を通してガイドされた電圧測定ラインは、前記左側メインフレームと右側メインフレームとの間に位置したセンターフレームに取り付けられる第２の締結手段に通電可能に連結され、
前記左側群メインフレームのうち、右側端メインフレームの前方離隔突起の小幅部と前記特定メインフレームの前方離隔突起の小幅部とが形成する隙間を通してガイドされた電圧測定ラインは、前記左側バスバー締結手段に通電可能に連結され、
前記右側群メインフレームのうち、左側端メインフレームの前方離隔突起の小幅部と前記特定メインフレームの前方離隔突起の小幅部とが形成する隙間を通してガイドされた電圧測定ラインは、前記右側バスバー締結手段に通電可能に連結され、
前記左側群メインフレームと右側群メインフレームのうち隣り合って設置されるメインフレームのうち、左側メインフレームの後方離隔突起の小幅部と右側メインフレームの後方離隔突起の小幅部とが形成する隙間を通してガイドされた電圧測定ラインは、前記左側メインフレームに取り付けられた第１の締結手段に通電可能に連結されることを特徴とする請求項１４ないし請求項１６のうちいずれか一項に記載のバスバーを備えたリチウム２次電池単位セット。
【請求項１８】
ハウジング空気流入孔及びハウジング空気流出孔が形成され、前記リチウム２次電池セットを覆いかぶせるリチウム２次電池ハウジングをさらに含み、
前記ハウジング空気流入孔は、前記ハウジング内面と前記前方垂直板との間に形成される前方空気流通路の延長線上または前記ハウジング内面と前記後方垂直板との間に形成される後方空気流通路の延長線上のうちいずれか一つの延長線上に形成され、
前記ハウジング空気流出孔は、前記ハウジング内面と前記前方垂直板との間に形成される前方空気流通路の延長線上または前記ハウジング内面と前記後方垂直板との間に形成される後方空気流通路の延長線上のうち他の一つの延長線上に形成されることを特徴とする請求項１３ないし請求項１７のうちいずれか一項に記載のバスバーを備えたリチウム２次電池単位セット。
【請求項１９】
ハウジング空気流入孔及びハウジング空気流出孔が形成され、前記リチウム２次電池セットを覆いかぶせるリチウム２次電池ハウジングをさらに含み、
前記ハウジング空気流入孔は、前記ハウジングの前面と後面のうちいずれか一面に形成され、
前記ハウジング空気流出孔は、前記ハウジングの前面と後面のうち他の一面に形成されることを特徴とする請求項１３ないし請求項１７のうちいずれか一項に記載のバスバーを備えたリチウム２次電池単位セット。
【請求項２０】
前後に隣り合って設置される請求項１３ないし請求項１９のうちいずれか一項に記載の多数個のリチウム２次電池単位セットと、
ハウジング空気流入孔及びハウジング空気流出孔が形成され、前記多数個のリチウム２次電池単位セットを包み込むリチウム２次電池ハウジングと、
を含み、
前記多数個のリチウム２次電池単位セットのうち隣り合う２個のリチウム２次電池単位セットは、前方リチウム２次電池単位セットの後方離隔突起の後端が後方リチウム２次電池単位セットの前方離隔突起の先端と接触するように設置され、
前記ハウジング空気流入孔及びハウジング空気流出孔は、各々、前記ハウジング内面と前記多数個のリチウム２次電池単位セットのうち最前方に位置したリチウム２次電池単位セットの前方垂直板との間に形成される前方空気流通路の延長線上、前記ハウジング内面と前記リチウム２次電池単位セットのうち最後方に位置したリチウム２次電池単位セットの後方垂直板との間に形成される後方空気流通路の延長線上、及び前記隣り合う２個のリチウム２次電池単位セットの後方垂直板と前方垂直板との間に形成される中間空気流通路の延長線上のうち、少なくともいずれか一つの延長線上に形成されることを特徴とするバス
バーを備えたリチウム２次電池セット。
【請求項２１】
前後に隣り合って設置される請求項１３ないし請求項１９のうちいずれか一項に記載の多数個のリチウム２次電池単位セットと、
ハウジング空気流入孔及びハウジング空気流出孔が形成され、前記多数個のリチウム２次電池単位セットを包み込むリチウム２次電池ハウジングと、
を含み、
前記多数個のリチウム２次電池単位セットのうち隣り合う２個のリチウム２次電池単位セットは、前方リチウム２次電池単位セットの後方離隔突起の後端が後方リチウム２次電池単位セットの前方離隔突起の先端と接触するように設置され、
前記ハウジング空気流入孔は、前記ハウジングの前面と後面のうちいずれか一面に形成され、
前記ハウジング空気流出孔は、前記ハウジングの前面と後面のうち他の一面に形成されることを特徴とするバスバーを備えたリチウム２次電池セット。
【請求項２２】
前記ハウジング空気流入孔は、多数個設置され、前記ハウジング空気流入孔の各々は、前記リチウム２次電池単位セットのうち最前方に位置したリチウム２次電池セットのそれぞれの前方垂直板に形成された空気流通孔の前方に形成され、
前記ハウジング空気流出孔は、多数個設置され、前記ハウジング空気流出孔の各々は、前記リチウム２次電池単位セットのうち最後方に位置したリチウム２次電池単位セットのそれぞれの後方垂直板に形成された空気流通孔の後方に形成されることを特徴とする請求項２０又は２１に記載のバスバーを備えたリチウム２次電池セット。
【発明の詳細な説明】
【技術分野】
【０００１】
本発明は、多数個のリチウム２次電池が積層されてなるリチウム２次電池単位セット及び上記リチウム２次電池単位セットを多数個含むリチウム２次電池セットに関し、パウチと電極タップで構成された多数のリチウム２次電池を収容及び保護することはもちろん、リチウム２次電池の積層構造が自在になることによって、電圧及び容量の変更が容易で、充電及び放電時に過電流が流れることを防止し、積層された電池の温度分布が均一なバスバーを備えたリチウム２次電池単位セット及びバスバーを備えたリチウム２次電池セットに関する。
【背景技術】
【０００２】
通常的に、１次電池とは異なって充電及び放電が可能な２次電池は、デジタルカメラ、セルラーテレフォン、ノートブックコンピュータ、ハイブリッド自動車など先端分野の開発により活発な研究が進行中である。２次電池としては、ニッケル-カドミウム電池、ニッケル-メタルハイドライド電池、ニッケル-水素電池、リチウム２次電池を挙げることができる。このうち、リチウム２次電池は、作動電圧が３．６Ｖ以上であり、携帯用電子機器の電源として使われたり、または数個を直列接続して高出力のハイブリッド自動車に使われるが、ニッケル-カドミウム電池や、ニッケル-メタルハイドライド電池に比べて作動電圧が３倍高く、単位重量当たりエネルギー密度の特性も優れて急速に使用が増加されている。
【０００３】
上記リチウム２次電池は、多様な形態で製造可能であり、代表的な形状としては、リチウムイオン電池に主に使われる円筒形（ｃｙｌｉｎｄｅｒ ｔｙｐｅ）及び角形（ｐｒｉｓｍａｔｉｃ ｔｙｐｅ）を挙げることができる。最近、脚光を浴びるリチウムポリマー電池は、柔軟性を有するパウチ形（ｐｏｕｃｈｅｄ ｔｙｐｅ）で製造され、その形状が比較的自在である。また、リチウムポリマー電池は安全性も優れ、且つ重さが軽いため、携帯用電子機器のスリム化及び軽量化に有利であるといえる。
【０００４】
図１は、従来のパウチ形リチウム２次電池の構造を示す図であり、従来のパウチ形リチウム２次電池５０は、電池部５１と、上記電池部５１が収容される空間１１を提供するケース１０と、を含んでいる。
【０００５】
上記電池部５１は、陽極板、セパレーター、陰極板の順に配置され、一方向にワインディングされたり、或いは多数枚の陽極板、セパレーター、陰極板が積層された形状である。上記電池部５１の各極板は、陽極及び陰極タップ５２ａ、５２ｂと電気的に接続されている。
【０００６】
上記陽極及び陰極タップ５２ａ、５２ｂの一端部は、ケース１０の密閉面１２を通して外部に突出されている。突出された陽極及び陰極タップ５２ａ、５２ｂの一端部は、図示されていない保護回路基板の端子と接続される。
【０００７】
上記陽極及び陰極タップ５２ａ、５２ｂの外面には、これと密閉面１２が接触する部分で上記ケース１０と電極タップ５２ａ、５２ｂとの電気的短絡を防止するために、それぞれに密閉テープ１３が巻き込まれている。
【０００８】
上記ケース１０は、後膜の金素材で成形した円筒形や角形からなる缶構造とは異なって、中間層が金属ホイルであり、金属ホイルの両面に付着される内外皮層が絶縁性フィルムからなるパウチ形ケースである。パウチ形ケースは、成形性に優れて自由自在に曲げることが可能である。上記ケース１０には上述したように電池部５１が収容可能な空間部１１が形成されており、上記空間部１１の縁部に沿って熱融着される面に提供する密閉面１２が形成されている。
【０００９】
図２は、図１のＡ-Ａの断面を示した図であり、上記ケース１０は、金属ホイル、例えば、アルミニウムホイルからなる中間層と、上記中間層の内面及び外面に付着されて上記中間層を保護する絶縁性フィルムからなる内皮層及び外皮層と、からなる複合フィルムである。
【００１０】
上記ケース１０内に形成された空間１１には、陽極板５１ａ、セパレーター５１ｃ、陰極板５１ｂの順に配置された電池部５１が収容されており、上記陽極及び陰極板５１ａ、５１ｂからは陽極タップ５２ａ及び陰極タップ５２ｂが突設されている。突設された電極タップ５２ａ、５２ｂの端部は、ケース１０の密閉面１２を通して外部に露出されており、上記密閉面１２では電極タップ５２ａ、５２ｂの外面に密閉テープ１３が巻かれている。
【００１１】
上記のような構造を有するパウチ形リチウム２次電池５０は、陽極板５１ａと陰極板５１ｂに陽極及び陰極タップ５２ａ、５２ｂを電気的に接続した後、陽極板５１ａ、セパレーター５１ｃ、陰極板５１ｂの順に配置した状態で一方向にワインディングして電池部５１を完成するようになる。
【００１２】
完成された電池部５１は、ドローイング（ｄｒａｗｉｎｇ）工程によって空間１１が備えられたケース１０内に実装され、実装の際、各電極タップ５２ａ、５２ｂの一端部は、ケース１０の外部に露出させる。このような状態で、上記ケース１０の密閉面１１に所定の熱と圧力を印加して熱融着してパウチ形リチウム２次電池５０を完成するようになる。完成されたパウチ形リチウム２次電池５０は、電池構造を安定化させるために、充電、エージング、放電など、一連の形成工程（ｆｏｒｍａｔｉｏｎ ｐｒｏｃｅｓｓ）を経て電池の異常有無を選別するようになる。
【００１３】
これと関連し、韓国公開特許公報２００５-０００５９４号は、パウチ形リチウム２次電池をケーシングする方法を開示している。上記の文献のパウチ形リチウム２次電池は、ケースの金属層と陽極タップに同一な陽極電位を印加することに従って、ケースの内皮層の破壊によって陰極タップとケースの金属層との接触時に短絡を誘発させて開路回路電圧差を容易に検出できる構造を有する。
【００１４】
一方、ハイブリッド自動車など高出力のリチウム電池が要求される場合、図１及び図２に示されたパウチを数十〜数百個積層してこれを直列連結して高電圧を得るようになる。
【００１５】
このようなパウチ形リチウムポリマー電池は、容易に撓むか曲がるような、或いは曲がることができる弱いアルミニウムパウチで構成されているため、硬いケース装置で保護しなければ長時間使用することができない。従来、このような直列連結のために各パウチの陽極タップ及び陰極タップを回路パターンが形成されているＰＣＢ（Ｐｒｉｎｔｅｄ Ｃｉｒｃｕｉｔ Ｂｏａｒｄ；印刷回路基板）により連結し、これをケースに入れる方式を使用した。
【００１６】
しかし、このような従来のリチウムポリマーパウチを積層して高出力リチウム電池を構成する方法によると、軟弱な構造であるリチウムポリマーパウチを完全に保護することができず、パウチを多数個積層してＰＣＢで連結される方式も完全でないため、外部衝撃等の環境変化に強くないという短所があった。
【００１７】
高出力電源として使われるリチウム電池を構成するパウチユニットをより強固にかつ安定的に積層し、これらを信頼性のあるように直列及び並列に連結できる方法が要求される。
【発明の概要】
【発明が解決しようとする課題】
【００１８】
本発明は、上記の問題点を解決するために案出されたものであり、本発明の目的は、多数のリチウム２次電池がより強固にかつ安定的に収容されるリチウム２次電池単位セットを提供することである。
【００１９】
本発明の他の目的は、多数のリチウム２次電池が別途の連結素子なしに直接接続されることはもちろん、相互接続されたリチウム２次電池の容量及び電圧の変更が自在な高出力リチウム２次電池単位セットを提供することである。
【００２０】
また、本発明のまた他の目的は、相互接続された多数のリチウム２次電池の充電及び放電時過熱を防止することができるリチウム２次電池単位セットを提供することである。
【００２１】
また、本発明のまた他の目的は、相互接続された多数のリチウム２次電池の充電及び放電時過電流が流れることを遮断することができるリチウム２次電池単位セットを提供することである。
【００２２】
また、本発明のまた他の目的は、特定群収容部にリチウム２次電池が収容されないことで特定群収容部に隣接して積層されるリチウム２次電池の温度が低下されて発生する問題点を解決することができるリチウム２次電池単位セットを提供することである。
【００２３】
また、本発明のまた他の目的は、上記のリチウム２次電池単位セットを多数個含むリチウム２次電池セットを提供することである。
【課題を解決するための手段】
【００２４】
本発明は、左側エンドフレーム及び右側エンドフレームと、露出された第１のタップ支持部が上段部に形成され、前記第１のタップ支持部の下方左側に左側が開放された左側収容部及び下方右側に右側が開放された右側収容部が形成され、前記左側エンドフレームと右側エンドフレームとの間に隣り合って設置される多数個のメインフレームと、露出された第２のタップ支持部が上段部に形成され、前記多数個のメインフレームのうち隣り合う２個のメインフレームのうち、左側メインフレームの右側収容部と右側メインフレームの左側収容部との間に設置されるように、左側が前記左側メインフレームに締結され、右側が前記右側メインフレームに締結されるセンターフレームと、パウチの周面の左側に切曲された左側電極タップ及び右側に切曲された右側電極タップが各々突出形成され、前記多数個の左側収容部と右側収容部のうち隣り合う２個の収容部からなる特定群収容部の左側に隣り合って位置する左側群収容部のそれぞれの左側収容部及び前記特定群収容部の右側に隣り合って位置する右側群収容部のそれぞれの左側収容部に収容される第１のタイプリチウム２次電池と、前記第１のタイプリチウム２次電池の右側電極タップと対向する方向に反対極性の左側電極タップが突出形成され、前記第１のタイプリチウム２次電池の左側電極タップと対向する方向に反対極性の右側電極タップが突出形成され、前記左側群収容部のそれぞれの右側収容部及び前記右側群収容部のそれぞれの右側収容部に収容される第２のタイプリチウム２次電池と、前記第１のタップ支持部に装着され、前記第１のタイプリチウム２次電池の右側電極タップ及び前記第２のタイプリチウム２次電池の左側電極タップを直列に通電可能に固定連結する第１の締結手段と、前記第２のタップ支持部に装着され、前記第２のタイプリチウム２次電池の右側電極タップ及び前記第１のタイプリチウム２次電池の左側電極タップを直列に通電可能に固定連結する第２の締結手段と、前記左側群収容部と前記特定群収容部との間に位置するタップ支持部に装着される左側バスバー締結手段によって、前記左側群収容部の右側端収容部に収容されるリチウム２次電池の右側電極タップと通電可能に連結される左側バスバーと、前記特定群収容部と前記右側群収容部との間に位置するタップ支持部に装着される右側バスバー締結手段によって、前記右側群収容部の左側端収容部に収容されるリチウム２次電池の左側電極タップと通電可能に連結される右側バスバーと、前記左側バスバー及び右側バスバーと直列に通電可能に連結される過電流遮断装置と、を含むことを特徴とするバスバーを備えたリチウム２次電池単位セットを提供しようとする。
【００２５】
本発明において、前記第１の締結手段は、上部にボルトが突出形成される第１の下部固定板と、前記第１の下部固定板のボルトが貫通される第１の上部固定板と、前記第１の上部固定板を貫通した前記第１の下部固定板のボルト端部に締結される第１の締結部材と、を含み、前記第２の締結手段は、上部にボルトが突出形成される第２の下部固定板と、前記第２の下部固定板のボルトが貫通される第２の上部固定板と、前記第２の上部固定板を貫通した前記第２の下部固定板のボルト端部に締結される第２の締結部材と、を含み、前記左側バスバー締結手段は、上部にボルトが突出形成される左側バスバー固定板と、前記左側バスバー固定板を貫通した前記左側バスバー固定板のボルト端部に締結される左側バスバー締結部材と、を含み、前記左側バスバーは、前記左側バスバー固定板に装着され、前記左側バスバー固定板のボルトが貫通される左側バスバー締結板を含み、前記右側バスバー締結手段は、上部にボルトが突出形成される右側バスバー固定板と、前記右側バスバー固定板を貫通した前記右側バスバー固定板のボルト端部に締結される右側バスバー締結部材と、を含み、前記右側バスバーは、前記右側バスバー固定板に装着され、前記右側バスバー固定板のボルトが貫通される右側バスバー締結板を含み、前記左側バスバー固定板と前記左側バスバー締結板との間には前記第１のタイプリチウム２次電池の左側電極タップと同一材質のダミー（ｄｕｍｍｙ）電極タップが固定され、前記右側バスバー固定板と前記右側バスバー締結板との間には前記第２のタイプリチウム２次電池の右側電極タップと同一材質のダミー（ｄｕｍｍｙ）電極タップが固定される。
【００２６】
本発明において、前記左側エンドフレームは、露出された第３のタップ支持部が上段部に形成され、前記多数個のメインフレームのうち左側端メインフレームの左側に締結され、前記右側エンドフレームは、露出された第４のタップ支持部が上段部に形成され、前記多数個のメインフレームのうち右側端メインフレームの右側に締結され、前記第３のタップ支持部には、上部にボルトが突出形成される第３の下部固定板と、前記第３の下部固定板のボルトが貫通される第３の上部固定板と、前記第３の上部固定板を貫通した前記第３の下部固定板のボルト端部に締結される第３の締結部材と、を備える第３の締結手段が装着され、前記第４のタップ支持部には、上部にボルトが突出形成される第４の下部固定板と、前記第４の下部固定板のボルトが貫通される第４の上部固定板と、前記第４の上部固定板を貫通した前記第４の下部固定板のボルト端部に締結される第４の締結部材と、を備える第４の締結手段が装着され、前記第３の締結手段は、前記第３の下部固定板と第３の上部固定板との間に前記多数個のメインフレームのうち左側端メインフレームに収容された第１のタイプリチウム２次電池の左側電極タップを固定させ、前記第４の締結手段は、前記第４の下部固定板と第４の上部固定板との間に前記多数個のメインフレームのうち右側端メインフレームに収容された第２のタイプリチウム２次電池の左側電極タップを固定させ、前記第３の下部固定板と第３の上部固定板との間には前記第２のタイプリチウム２次電池の右側電極タップと同一材質のダミー（ｄｕｍｍｙ）電極タップが固定され、前記第４の下部固定板と第４の上部固定板との間には前記第１のタイプリチウム２次電池の左側電極タップと同一材質のダミー（ｄｕｍｍｙ）電極タップが固定される。
【００２７】
本発明において、前記左側群収容部のそれぞれの左側収容部及び前記右側群収容部のそれぞれの左側収容部には、前記第１のタイプリチウム２次電池ｎ個が相互並列に通電されるようにその左側電極タップ及び右側電極タップが各々上下に積層されて収容され、前記左側群収容部のそれぞれの右側収容部及び前記右側群収容部のそれぞれの右側収容部には、前記第２のタイプリチウム２次電池ｎ個が相互並列に通電されるようにその左側電極タップ及び右側電極タップが各々上下に積層されて収容され、前記第１の上部固定板、第２の上部固定板、第３の上部固定板、及び第４の上部固定板には固定板コネクターが各々取り付けられ、前記左側バスバー締結板及び右側バスバー締結板には締結板コネクターが各々取り付けられ、前記それぞれの固定板コネクター及び締結板コネクターには電圧測定器に連結された電圧測定ライン側のコネクターが挿着される。ここで、ｎは、２以上の自然数である。
【００２８】
本発明において、前記左側バスバーは、前記左側バスバー締結板から切曲され、絶縁体によって被覆される一字形の左側バスバー延長部を含み、前記右側バスバーは、前記右側バスバー締結板から切曲され、絶縁体によって被覆される一字形の右側バスバー延長部を含み、前記それぞれのメインフレームの上段部には前記第１のタップ支持部の水平延長線上に前記左側バスバー延長部及び右側バスバー延長部をガイドするための“Ｕ”字形の第１のバスバーガイド管が形成され、前記それぞれのセンターフレームの上段部には前記第２のタップ支持部の水平延長線上に前記左側バスバー延長部及び右側バスバー延長部をガイドするための“Ｕ”字形の第２のバスバーガイド管が形成され、前記左側バスバー延長部と右側バスバー延長部は上下に相互積層されるように、前記左側バスバー延長部の一端部と右側バスバー延長部のいずれか一つは、上部または下部に切曲され、前記左側バスバー延長部の他端部には、前方または後方に切曲され、前記左側エンドフレームまたは右側エンドフレームに固定され、前記過電流遮断装置に連結される左側バスバー締結タップが形成され、前記右側バスバー延長部の他端部には、前記左側バスバー締結タップが切曲された方向と反対方向に切曲され、前記左側エンドフレームと右側エンドフレームのうち前記左側バスバー締結タップが固定されたエンドフレームに固定され、前記過電流遮断装置に連結される右側バスバー締結タップが形成される。
【００２９】
本発明において、前記それぞれの第１の締結手段及び第２の締結手段の上部に設置される保護蓋をさらに含み、前記それぞれのメインフレームの上段部には、前記第１のバスバーガイド管を中心に前記第１のタップ支持部の反対方向に前記保護蓋が締結される第１の保護蓋固定部が上方に突出形成され、前記それぞれのセンターフレームの上段部には、前記第２のバスバーガイド管を中心に前記第２のタップ支持部の反対方向に前記保護蓋が締結される第２の保護蓋固定部が上方に突出形成され、前記特定群収容部を構成する左側収容部及び右側収容部には、前記左側群収容部の右側端収容部に収容されたリチウム２次電池と前記右側群収容部の左側端収容部に収容されたリチウム２次電池との間の熱伝逹通路となるサーマルパッドが収容される。
【００３０】
本発明において、前記それぞれのメインフレームは、一字形の底板と、前記底板の前方側端から上方に起立して中央部に空気流通孔が形成される前方垂直板と、前記底板の後方側端から上方に起立して中央部に空気流通孔が形成される後方垂直板と、前記前方垂直板の上方に位置して前方に突出される前方離隔突起と、前記後方垂直板の上方に位置して後方に突出される後方離隔突起と、を含み、前記前方離隔突起及び後方離隔突起には、各々、一字形管が左右側方向に取り付けられることができる取付溝が上段から引き込まれて形成され、前記特定群収容部は、前記多数個のメインフレームのうち左側端メインフレームと右側端メインフレームとの間に位置するいずれか一つの特定メインフレームに形成された左側収容部及び右側収容部である。
【００３１】
本発明において、前記前方垂直板及び後方垂直板には、各々、左側端と右側端から引き込まれる左側溝及び右側溝が形成され、前記センターフレームには、前方外側面から内側に引き込まれて左側面及び右側面を貫通し、前記隣り合うメインフレームのうち左側メインフレームの前方垂直板の右側溝及び右側メインフレームの前方垂直板の左側溝が形成する貫通孔に連通される温度センサー前方挿着溝が形成され、後方外側面から内側に引き込まれて左側面及び右側面を貫通し、前記隣り合うメインフレームのうち左側メインフレームの後方垂直板の右側溝及び右側メインフレームの後方垂直板の左側溝が形成する貫通孔に連通される温度センサー後方挿着溝が形成され、前記前方離隔突起は、後端部に形成される小幅部と、小幅部に連接して左右側に突出されて前端部に形成される大幅部と、を含み、前記後方離隔突起は、前端部に形成される小幅部と、小幅部に連接して左右側に突出されて後端部に形成される大幅部と、を含み、前記前方離隔突起の取付溝は、一部が前記前方離隔突起の小幅部に形成され、残りは大幅部に形成され、前記後方離隔突起の取付溝は、一部が前記後方離隔突起の小幅部に形成され、残りは大幅部に形成され、温度測定器に連結された温度測定ラインのうち前記隣り合う２個のメインフレームのうち、左側メインフレームの前方離隔突起の小幅部と右側メインフレームの前方離隔突起の小幅部とが形成する隙間を通してガイドされた温度測定ラインは、前記温度センサー前方挿着溝に挿着された温度センサーに連結され、温度測定器に連結された温度測定ラインのうち前記隣り合う２個のメインフレームのうち、左側メインフレームの後方離隔突起の小幅部と右側メインフレームの後方離隔突起の小幅部とが形成する隙間を通してガイドされた温度測定ラインは、前記温度センサー後方挿着溝に挿着された温度センサーに連結される。
【００３２】
本発明において、前記前方離隔突起は、後端部に形成される小幅部と、小幅部に連接して左右側に突出されて前端部に形成される大幅部と、を含み、前記後方離隔突起は、前端部に形成される小幅部と、小幅部に連接して左右側に突出されて後端部に形成される大幅部と、を含み、前記前方離隔突起の取付溝は、一部が前記前方離隔突起の小幅部に形成され、残りは大幅部に形成され、前記後方離隔突起の取付溝は、一部が前記後方離隔突起の小幅部に形成され、残りは大幅部に形成され、前記左側群収容部が形成される左側群メインフレームと前記右側群収容部が形成される右側群メインフレームのうち隣り合って設置されるメインフレームのうち、左側メインフレームの前方離隔突起の小幅部と右側メインフレームの前方離隔突起の小幅部とが形成する隙間を通してガイドされた電圧測定ラインは、前記左側メインフレームと右側メインフレームとの間に位置したセンターフレームに取り付けられる第２の締結手段に通電可能に連結され、前記左側群メインフレームのうち、右側端メインフレームの前方離隔突起の小幅部と前記特定メインフレームの前方離隔突起の小幅部とが形成する隙間を通してガイドされた電圧測定ラインは、前記左側バスバー締結手段に通電可能に連結され、前記右側群メインフレームのうち、左側端メインフレームの前方離隔突起の小幅部と前記特定メインフレームの前方離隔突起の小幅部とが形成する隙間を通してガイドされた電圧測定ラインは、前記右側バスバー締結手段に通電可能に連結され、前記左側群メインフレームと右側群メインフレームのうち隣り合って設置されるメインフレームのうち、左側メインフレームの後方離隔突起の小幅部と右側メインフレームの後方離隔突起の小幅部とが形成する隙間を通してガイドされた電圧測定ラインは、前記左側メインフレームに取り付けられた第１の締結手段に通電可能に連結される。
【００３３】
本発明は、ハウジング空気流入孔及びハウジング空気流出孔が形成され、前記リチウム２次電池セットを包み込むリチウム２次電池ハウジングをさらに含み、前記ハウジング空気流入孔は、前記ハウジング内面と前記前方垂直板との間に形成される前方空気流通路の延長線上または前記ハウジング内面と前記後方垂直板との間に形成される後方空気流通路の延長線上のうちいずれか一つの延長線上に形成され、前記ハウジング空気流出孔は、前記ハウジング内面と前記前方垂直板との間に形成される前方空気流通路の延長線上または前記ハウジング内面と前記後方垂直板との間に形成される後方空気流通路の延長線上のうち他の一つの延長線上に形成されたり、ハウジング空気流入孔及びハウジング空気流出孔が形成され、前記リチウム２次電池セットを包み込むリチウム２次電池ハウジングをさらに含み、前記ハウジング空気流入孔は、前記ハウジングの前面と後面のうちいずれか一面に形成され、前記ハウジング空気流出孔は、前記ハウジングの前面と後面のうち他の一面に形成される。
【００３４】
一方、本発明は、前後に隣り合って設置される前記多数個のリチウム２次電池単位セットと、ハウジング空気流入孔及びハウジング空気流出孔が形成され、前記多数個のリチウム２次電池単位セットを包み込むリチウム２次電池ハウジングと、を含み、前記多数個のリチウム２次電池単位セットのうち隣り合う２個のリチウム２次電池単位セットは、前方リチウム２次電池単位セットの後方離隔突起の後端が後方リチウム２次電池単位セットの前方離隔突起の先端と接触するように設置され、前記ハウジング空気流入孔及びハウジング空気流出孔は、各々、前記ハウジング内面と前記多数個のリチウム２次電池単位セットのうち最前方に位置したリチウム２次電池単位セットの前方垂直板との間に形成される前方空気流通路の延長線上、前記ハウジング内面と前記リチウム２次電池単位セットのうち最後方に位置したリチウム２次電池単位セットの後方垂直板との間に形成される後方空気流通路の延長線上、及び前記隣り合う２個のリチウム２次電池単位セットの後方垂直板と前方垂直板との間に形成される中間空気流通路の延長線上のうち、少なくともいずれか一つの延長線上に形成されることを特徴とするバスバーを備えたリチウム２次電池セットに関する。
【００３５】
一方、本発明は、前後に隣り合って設置される前記多数個のリチウム２次電池単位セットと、ハウジング空気流入孔及びハウジング空気流出孔が形成され、前記多数個のリチウム２次電池単位セットを包み込むリチウム２次電池ハウジングと、を含み、前記多数個のリチウム２次電池単位セットのうち隣り合う２個のリチウム２次電池単位セットは、前方リチウム２次電池単位セットの後方離隔突起の後端が後方リチウム２次電池単位セットの前方離隔突起の先端と接触するように設置され、前記ハウジング空気流入孔は、前記ハウジングの前面と後面のうちいずれか一面に形成され、前記ハウジング空気流出孔は、前記ハウジングの前面と後面のうち他の一面に形成されることを特徴とするバスバーを備えたリチウム２次電池セットに関し、前記ハウジング空気流入孔は、多数個設置され、前記ハウジング空気流入孔の各々は、前記リチウム２次電池単位セットのうち最前方に位置したリチウム２次電池セットのそれぞれの前方垂直板に形成された空気流通孔の前方に形成され、前記ハウジング空気流出孔は、多数個設置され、前記ハウジング空気流出孔の各々は、前記リチウム２次電池単位セットのうち最後方に位置したリチウム２次電池単位セットのそれぞれの後方垂直板に形成された空気流通孔の後方に形成される。
【発明の効果】
【００３６】
本発明は、多数のリチウム２次電池をより強固にかつ安定的に連結させることができ、それぞれのリチウム２次電池を特別な連結装置を利用せずに直接連結させることができるという長所がある。
【００３７】
また、本発明は、多数個のリチウム２次電池の連結構造が自在になることによって電圧及び容量の変更が容易になり活用範囲が拡張されるという長所がある。
【００３８】
また、本発明は、放熱性に優れて充電ないし放電時に発生される熱を最小化することによってリチウム２次電池の損傷が未然に防止される作用効果がある。
【００３９】
また、本発明は、それぞれのメインフレームに収容される第１のタイプリチウム２次電池及び第２のタイプリチウム２次電池の電圧及び温度を測定することができるという長所がある。
【００４０】
また、本発明は、左側バスバー、右側バスバー、及び過電流遮断装置を備えるため、充電及び放電時にリチウム２次電池に過電流が流れる場合、作動を止めることができるという長所がある。
【００４１】
また、本発明は、左側群メインフレームと右側群メインフレームとの間に設置される特定メインフレームにサーマルパッドが備えられ、特定群収容部に隣接して積層されるリチウム２次電池の温度低下が防止されるため、特定群収容部を除いた左側収容部及び右側収容部の各々に備えられるリチウム２次電池の寿命短縮が減り、性能低下が低減されるという長所がある。
【００４２】
また、本発明は、第１のタイプリチウム２次電池と第２のタイプリチウム２次電池の相互対応する電極タップが相互対をなして積層されないタップ支持部にダミー電極タップを積層して抵抗を調整することによって、各収容部に収容されたリチウム２次電池に均一な電流が流れるという長所がある。
【図面の簡単な説明】
【００４３】
【図１】従来のリチウム２次電池を示した正面図である。
【図２】図１のＡ-Ａの断面を示した断面図である。
【図３】実施例１の左側エンドフレーム、メインフレーム、センターフレーム、及び右側エンドフレームの分解斜視図である。
【図４】実施例１のメインフレームの斜視図である。
【図５】及び
【図６】実施例１のメインフレームに形成される左側収容部及び右側収容部の概略図である。
【図７】実施例１のセンターフレームが未図示された状態における隣り合う２個のメインフレームとメインフレームの設置状態図である。
【図８】実施例１の隣り合うメインフレーム及びその間に設置されるセンターフレームの分解斜視図である。
【図９】実施例１のメインフレーム及びメインフレームに収容されて固定される第１のタイプリチウム２次電池及び第２のタイプリチウム２次電池の分解斜視図である。
【図１０】実施例１のセンターフレーム及びセンターフレームに固定される第１のタイプリチウム２次電池及び第２のタイプリチウム２次電池の分解斜視図である。
【図１１】実施例１の左側バスバー及び右側バスバーの締結状態を説明するための分解斜視図である。
【図１２】実施例１の右側エンドフレーム及び右側エンドフレームに固定される第２のタイプリチウム２次電池の分解斜視図である。
【図１３】実施例１の左側エンドフレーム及び左側エンドフレームに固定される第１のタイプリチウム２次電池の分解斜視図である。
【図１４】ダミー電極タップを装着しない場合の電圧分布のグラフである。
【図１５】ダミー電極タップを装着した場合の電圧分布のグラフである。
【図１６】（ａ）は左側バスバー及び右側バスバーが右側エンドフレームに締結される前の状態図である。（ｂ）は左側バスバー及び右側バスバーが右側エンドフレームに締結された状態図である。
【図１７】特定メインフレームと特定メインフレームに収容されるサーマルパッドの分解斜視図である。
【図１８ａ】（ａ）は特定メインフレームにサーマルパッドが収容されない場合温度センサーにより測定された温度グラフである。
【図１８ｂ】（ｂ）は特定メインフレームにサーマルパッドが収容された場合温度センサーにより測定された温度グラフである。
【図１９】保護蓋の背面斜視図である。
【図２０】実施例２のメインフレームとこれに収容されるリチウム２次電池の分解斜視図である。
【図２１】メインフレームに収容される第１のタイプリチウム２次電池の右側電極タップ及び第２のタイプリチウム２次電池の左側電極タップのの積層状態の正面図である。
【図２２】メインフレームに収容される第１のタイプリチウム２次電池の右側電極タップ及び第２のタイプリチウム２次電池の左側電極タップの締結状態の正面図である。
【図２３】実施例３の上部ハウジングが取り外された状態の斜視図である。
【図２４】実施例４のリチウム２次電池ハウジングの上部ハウジングの斜視図である。
【図２５】実施例５のリチウム２次電池ハウジングの上部ハウジングの斜視図である。
【図２６】実施例６の上部ハウジングが取り外された状態の斜視図である。
【図２７】実施例６の通風経路の概略図である。
【図２８】（ａ）は実施例７の上部ハウジングの斜視図である。（ｂ）は実施例７の通風経路の概略図である。
【図２９】（ａ）は実施例８の上部ハウジングの斜視図である。（ｂ）は実施例８の通風経路の概略図である。
【図３０】（ａ）は実施例９の上部ハウジングの斜視図である。（ｂ）は実施例９の通風経路の概略図である。
【発明を実施するための形態】
【実施例１】
【００４４】
実施例１は、本発明によるバスバーを備えたリチウム２次電池単位セット（ｓｅｔ）に関する。
【００４５】
図３は実施例１の左側エンドフレーム、メインフレーム、センターフレーム及び右側エンドフレームの分解斜視図を示す。
【００４６】
図３を参照すると、実施例１は、左側エンドフレーム１１０、右側エンドフレーム１２０、及び多数個のメインフレーム１３０＋１、...、１３０＋ｒ、１３０＋（ｒ＋１）、...、１３０＋ｎを有する。多数個のメインフレーム１３０＋１、...、１３０＋ｒ、１３０＋（ｒ＋１）、...、１３０＋ｎは、左側エンドフレーム１１０と右側エンドフレーム１２０との間に隣り合って設置され、隣り合って設置される任意の２個のメインフレーム１３０＋ｒ、１３０＋（ｒ＋１）間にはセンターフレーム２３０＋ｒが設置される。ここで、ｒは、１から（ｎ-１）までの任意の自然数である。以下、同一である。
【００４７】
図４は、実施例１のメインフレームの斜視図を示す。
【００４８】
図４を参照すると、任意のメインフレーム１３０＋ｉは、一字形の底板１３０-１を有する。ここで、ｉは、１からｎまでの任意の自然数である。以下、同一である。
【００４９】
図４を参照すると、底板１３０-１の前方側端には上方に前方垂直板１３０-２が起立される。前方垂直板１３０-２は、中央部に空気流通孔１３０-２ｈが形成され、左側端及び右側端から中央部側へ引き込まれる左側溝１３０-２ｌｇ及び右側溝１３０-２ｒｇが形成される。左側溝１３０-２ｌｇ及び右側溝１３０-２ｒｇは、中央部を中心に相互対向する位置に形成される。
【００５０】
図４を参照すると、底板１３０-１の後方側端には上方に後方垂直板１３０-３が起立される。後方垂直板１３０-３は、中央部に空気流通孔（図示せず）が形成され、左側端及び右側端から中央部側に引き込まれる左側溝１３０-３ｌｇ及び右側溝（図示せず）が形成される。後方垂直板１３０-３の内側面には後方垂直支持台１３０-５が起立される。後方垂直支持台１３０-５には後方垂直板１３０-３の中央部に形成された空気流通孔（図示せず）と連通する空気流通孔１３０-５ｈが形成される。図４には示されていないが、後方垂直板１３０-３と同様に、前方垂直板１３０-２の内側面には前方垂直支持台（図示せず）が起立される。前方垂直支持台（図示せず）には前方垂直板１３０-２の中央部に形成された空気流通孔１３０-２ｈと連通する空気流通孔（図示せず）が形成される。
【００５１】
図４を参照すると、前方垂直板１３０-２の上方には前方に前方離隔突起１３０-６が突出形成される。前方離隔突起１３０-６には一字形管（図示せず）が左右側方向に取り付けられることができる取付溝１３０-６ｇが上段から引き込まれて形成される。前方離隔突起１３０-６は、後端部に形成される小幅部１３０-６ｓ、及び小幅部１３０-６ｓに連接して形成される大幅部１３０-６ｌからなり、大幅部１３０-６ｌは、小幅部１３０-６ｓの左右側に突出されて小幅部１３０-６ｓより大きい幅を有する。前方離隔突起１３０-６の取付溝１３０-６ｇは、一部が前方離隔突起１３０-６の小幅部１３０-６ｓに形成され、残りは前方離隔突起１３０-６の大幅部１３０-６ｌに形成される。前方離隔突起１３０-６の小幅部１３０-６ｓには左右側を貫通する締結孔１３０-６ｈが形成される。
【００５２】
図４を参照すると、後方垂直板１３０-３の上方には後方に後方離隔突起１３０-７が突出形成される。後方離隔突起１３０-７には一字形管（図示せず）が左右側方向に取り付けられることができる取付溝１３０-７ｇが上段から引き込まれて形成される。後方離隔突起１３０-７は、前端部に形成される小幅部１３０-７ｓ及び小幅部１３０-７ｓに連接して形成される大幅部１３０-７ｌからなり、大幅部１３０-７ｌは、小幅部１３０-７ｓの左右側に突出されて小幅部１３０-７ｓより大きい幅を有する。後方離隔突起１３０-７の取付溝１３０-７ｇは、一部が後方離隔突起１３０-７の小幅部１３０-７ｓに形成され、残りは、後方離隔突起１３０-７の大幅部１３０-７ｌに形成される。後方離隔突起１３０-７の小幅部１３０-７ｓには左右側を貫通する締結孔１３０-７ｈが形成される。
【００５３】
図４を参照すると、メインフレーム１３０＋ｉの上段部には露出された第１のタップ支持部１３０-８が形成される。第１のタップ支持部１３０-８は、一字形の板状で形成され、第１のタップ支持部１３０-８の前方側端及び後方側端には、各々、嵌合突起１３０-８ｐが突出形成される。
【００５４】
図４を参照すると、メインフレーム１３０＋ｉの上段部には第１の保護蓋固定部１３０-９が形成される。第１の保護蓋固定部１３０-９は、第１のタップ支持部１３０-８の水平延長線上の上部に突出形成される。第１の保護蓋固定部１３０-９には締結孔１３０-９ｈが形成される。一方、第１のタップ支持部１３０-８と第１の保護蓋固定部１３０-９との間には後述する右側バスバー（ｂｕｓ ｂａｒ）延長部７２２（図１１参照）をガイドすることができる“Ｕ”字形の第１のバスバー（ｂｕｓ ｂａｒ）ガイド管１３０-１０が形成される。第１のバスバー（ｂｕｓ ｂａｒ）ガイド管１３０-１０を基準に、第１のタップ支持部１３０-８は後方離隔突起１３０-７側に形成され、第１の保護蓋固定部１３０-９は前方離隔突起１３０-６側に形成される。
【００５５】
図４を参照すると、前方垂直板１３０-２には下部前方結合突起１３０-１２が前方に突出形成される。下部前方結合突起１３０-１２には左右側を貫通する締結孔１３０-１２ｈが形成される。
【００５６】
図４を参照すると、後方垂直板１３０-３には下部後方結合突起１３０-１３が後方に突出形成される。下部後方結合突起１３０-１３には左右側を貫通する締結孔１３０-１３ｈが形成される。
【００５７】
図５及び図６は、実施例１のメインフレームに形成される左側収容部及び右側収容部の概略図を示す。
【００５８】
図５を参照すると、メインフレーム１３０＋ｉの第１のタップ支持部１３０-８及び第１の保護蓋固定部１３０-９の下方左側には、左側の開放された左側収容部ＬＳが形成され、図６を参照すると、メインフレーム１３０＋ｉの第１のタップ支持部１３０-８及び第１の保護蓋固定部１３０-９の下方右側には、右側が開放された右側収容部ＲＳが形成される。
【００５９】
図７は、実施例１のセンターフレーム２３０＋ｒ（図３参照）が未図示された状態における隣り合う２個のメインフレーム１３０＋ｒとメインフレーム１３０＋（ｒ＋１）の設置状態図を示す。
【００６０】
図７を参照すると、左側メインフレーム１３０＋ｒの大幅部１３０-６ｌの右側面と右側メインフレーム１３０＋（ｒ＋１）の大幅部１３０-６ｌの左側面は相互接触するように設置され、従って、左側メインフレーム１３０＋ｒの小幅部１３０-６ｓ右側面と右側メインフレーム１３０＋（ｒ＋１）の小幅部１３０-６ｓ左側面との間には隙間が形成される。
【００６１】
図７を参照すると、同様に、左側メインフレーム１３０＋ｒの大幅部１３０-７ｌ右側面と右側メインフレーム１３０＋（ｒ＋１）の大幅部１３０-７ｌ左側面は相互接触するように設置され、従って、左側メインフレーム１３０＋ｒの小幅部１３０-７ｓ右側面と右側メインフレーム１３０＋（ｒ＋１）の小幅部１３０-７ｓ左側面との間には隙間が形成される。
【００６２】
図８は、実施例１の隣り合うメインフレーム及びその間に設置されるセンターフレームの分解斜視図を示す。
【００６３】
図８を参照すると、センターフレーム２３０＋ｒ上段エッジ部には上部前方結合突起２３０-６及び上部後方結合突起２３０-７が突出形成される。上部前方結合突起２３０-６及び上部後方結合突起２３０-７には左右側面を貫通する中空軸形状の中空締結突起２３０-６ｐ、２３０-７ｐが各々左右側に突出形成される。中空締結突起２３０-６ｐは、左側端が左側メインフレーム１３０＋ｒの締結孔１３０-６ｈ右側に締結されるように形成され、右側端が右側メインフレーム１３０＋（ｒ＋１）の締結孔１３０-６ｈ左側に締結されるように形成される。同様に、中空締結突起２３０-７ｐは、左側端が左側メインフレーム１３０＋ｒの締結孔１３０-７ｈ右側に締結されるように形成され、右側端が右側メインフレーム１３０＋（ｒ＋１）の締結孔１３０-７ｈ左側に締結されるように形成される。
【００６４】
図８を参照すると、センターフレーム２３０＋ｒの上段部には、露出された第２のタップ支持部２３０-８が形成される。第２のタップ支持部２３０-８は、一字形の板状で形成され、第２のタップ支持部２３０-８の前方側端及び後方側端には、各々、嵌合突起２３０-８ｐが突出形成される。
【００６５】
図８を参照すると、センターフレーム２３０＋ｒの上段部には第２の保護蓋固定部２３０-９が形成される。第２の保護蓋固定部２３０-９は、第２のタップ支持部２３０-８の水平延長線上の上部に突出形成される。第２の保護蓋固定部２３０-９には締結孔２３０-９ｈが形成される。一方、第２のタップ支持部２３０-８と第２の保護蓋固定部２３０-９との間には後述する右側バスバー（ｂｕｓ ｂａｒ）延長部７２２（図１１参照）をガイドすることができる“Ｕ”字形の第２のバスバー（ｂｕｓ ｂａｒ）ガイド管２３０-１０が形成される。第２のバスバー（ｂｕｓ ｂａｒ）ガイド管２３０-１０を基準に、第２のタップ支持部２３０-８は上部前方結合突起２３０-６側に形成され、第２の保護蓋固定部２３０-９は上部後方結合突起２３０-７側に形成される。
【００６６】
図８を参照すると、センターフレーム２３０＋ｒの前方外側面の下段には下部前方結合突起２３０-１２が前方に突出形成され、センターフレーム２３０＋ｒの後方外側面の下段には下部後方結合突起２３０-１３が後方に突出形成される。下部前方結合突起２３０-１２及び下部後方結合突起２３０-１３には左右側を貫通する中空軸形状の中空締結突起２３０-１２ｐ、２３０-１３ｐが各々左右側に突出形成される。中空締結突起２３０-１２ｐは、左側端が左側メインフレーム１３０＋ｒの締結孔１３０-１２ｈ右側に締結されるように形成され、右側端が右側メインフレーム１３０＋（ｒ＋１）の締結孔１３０-１２ｈ左側に締結されるように形成される。同様に、中空締結突起２３０-１３ｐは、左側端が左側メインフレーム１３０＋ｒの締結孔１３０-１３ｈ右側に締結されるように形成され、右側端が右側メインフレーム１３０＋（ｒ＋１）の締結孔１３０-１３ｈ左側に締結されるように形成される。
【００６７】
図８を参照すると、センターフレーム２３０＋ｒには、温度センサー前方挿着溝２３０-２ｇ及び温度センサー後方挿着溝２３０-３ｇが形成される。温度センサー前方挿着溝２３０-２ｇは、センターフレーム２３０＋ｒの前方外側面から内側に引き込まれて左側面及び右側面を貫通するように形成され、温度センサー後方挿着溝２３０-３ｇは、センターフレーム２３０＋ｒの後方外側面から内側に引き込まれて左側面及び右側面を貫通するように形成される。図７を共に参照すると、温度センサー前方挿着溝２３０-２ｇは、左側メインフレーム１３０＋ｒの前方垂直板の右側溝１３０-２ｒｇ及び右側メインフレーム１３０＋（ｒ＋１）の前方垂直板の左側溝１３０-２ｌｇが形成する前方貫通孔ｆｈに連通される。上記前方貫通孔ｆｈには前方温度センサー（図示せず）が挿着される。同様に、図７を共に参照すると、温度センサー後方挿着溝２３０-３ｇは、左側メインフレーム１３０＋ｒの後方垂直板の右側溝１３０-３ｒｇ及び右側メインフレーム１３０＋（ｒ＋１）の後方垂直板の左側溝１３０-３ｌｇが形成する後方貫通孔ｒｈに連通される。上記後方貫通孔ｒｈには後方温度センサー（図示せず）が挿着される。
【００６８】
図７を参照すると、上記前方貫通孔ｆｈに挿着された前方温度センサー（図示せず）に連結された温度測定ライン（図示せず）は、第１の隙間１３０-６ｔ１を通してガイドされ、メインフレーム１３０＋１、...、１３０＋ｒ、１３０＋（ｒ＋１）、...、１３０＋ｎの取付溝１３０-６ｇに取り付けられる一字形のガイド管（図示せず）に引き込まれる。第１の隙間１３０-６ｔ１は、左側メインフレーム１３０＋ｒの小幅部１３０-６ｓと右側メインフレーム１３０＋（ｒ＋１）の小幅部１３０-６ｓとが形成する隙間のうち左側メインフレーム１３０＋ｒの取付溝１３０-６ｇと右側メインフレーム１３０＋（ｒ＋１）の取付溝１３０-６ｇとの間に形成される隙間である。同様に、上記後方貫通孔ｒｈに挿着された後方温度センサー（図示せず）に連結された温度測定ライン（図示せず）は、第１の隙間（図示せず）を通してガイドされ、メインフレーム１３０＋１、...、１３０＋ｒ、１３０＋（ｒ＋１）、...、１３０＋ｎの取付溝１３０-７ｇに取り付けられる一字形のガイド管（図示せず）に引き込まれる。上記第１の隙間（図示せず）は、左側メインフレーム１３０＋ｒの小幅部１３０-７ｓと右側メインフレーム１３０＋（ｒ＋１）の小幅部１３０-７ｓとが形成する隙間のうち左側メインフレーム１３０＋ｒの取付溝１３０-７ｇと右側メインフレーム１３０＋（ｒ＋１）の取付溝１３０-７ｇとの間に形成される隙間である。
【００６９】
図９は、実施例１のメインフレーム及びメインフレームに収容されて固定される第１のタイプリチウム２次電池及び第２のタイプリチウム２次電池の分解斜視図を示す。
【００７０】
図９及び図３を参照すると、多数個のメインフレーム１３０＋１、...、１３０＋ｒ、１３０＋（ｒ＋１）、...、１３０＋ｎは、特定メインフレーム１３０＋ｍ、左側群メインフレーム（図面符号無し）、及び右側群メインフレーム（図面符号無し）に区別することができる。特定メインフレーム１３０＋ｍは、左側端メインフレーム１３０＋１と右側端メインフレーム１３０＋ｎとの間に位置するメインフレームのうち選択された一つの特定のメインフレームである。左側群メインフレーム（図面符号無し）は、特定メインフレーム１３０＋ｍの左側に隣り合って設置される多数個のメインフレームからなる。右側群メインフレーム（図面符号無し）は、特定メインフレーム１３０＋ｍの右側に隣り合って設置される多数個のメインフレームからなる。
【００７１】
図９を参照すると、第１のタイプリチウム２次電池３１０＋ｋは、左側群メインフレーム（図面符号無し）及び右側群メインフレーム（図面符号無し）を構成するメインフレーム１３０＋ｋの左側収容部ＬＳ（図５参照）に収容される。ここで、ｋは、ｍを除いた１からｎまでの自然数である。以下、同一である。第１のタイプリチウム２次電池３１０＋ｋは、左側電極タップ３１０-ｌｔ及び右側電極タップ３１０-ｒｔを有し、左側電極タップ３１０-ｌｔは、パウチ（図面符号無し）の周面左側に突出されるようにパウチ（図面符号無し）左側に切曲形成され、右側電極タップ３１０-ｒｔは、パウチ（図面符号無し）の周面右側に突出されるようにパウチ（図面符号無し）右側に切曲形成される。左側電極タップ３１０-ｌｔは、陽極タップまたは、陰極タップであってもよく、右側電極タップ３１０-ｒｔは左側電極タップ３１０-ｌｔと反対極性の電極タップである。左側電極タップ３１０-ｌｔ及び右側電極タップ３１０-ｒｔには、各々、締結溝３１０-ｌｔｈ、３１０-ｒｔｈが形成される。一方、実施例１の左側電極タップ３１０-ｌｔ及び右側電極タップ３１０-ｒｔには、各々、締結溝３１０-ｌｔｈ、３１０-ｒｔｈの代わりに締結孔（図示せず）が形成されることができる。
【００７２】
図９を参照すると、第２のタイプリチウム２次電池３２０＋ｋは、左側群メインフレーム（図面符号無し）及び右側群メインフレーム（図面符号無し）を構成するメインフレーム１３０＋ｋの右側収容部ＲＳ（図６参照）に収容される。ここで、ｋは、ｍを除いた１からｎまでの自然数である。以下、同一である。第２のタイプリチウム２次電池３２０＋ｋは、左側電極タップ３２０-ｌｔ及び右側電極タップ３２０-ｒｔを有し、左側電極タップ３２０-ｌｔは、パウチ（図面符号無し）の周面左側に突出されるようにパウチ（図面符号無し）左側に切曲形成され、右側電極タップ３２０-ｒｔは、パウチ（図面符号無し）の周面右側に突出されるようにパウチ（図面符号無し）右側に切曲形成される。第２のタイプリチウム２次電池３２０＋ｋの左側電極タップ３２０-ｌｔは、第１のタイプリチウム２次電池３１０＋ｋの右側電極タップ３１０-ｒｔと対向する方向に突出形成され、第１のタイプリチウム２次電池３１０＋ｋの右側電極タップ３１０-ｒｔと反対極性の電極タップである。第２のタイプリチウム２次電池３２０＋ｋの右側電極タップ３２０-ｒｔは、第１のタイプリチウム２次電池３１０＋ｋの左側電極タップ３１０-ｌｔと対向する方向に突出形成され、第１のタイプリチウム２次電池３１０＋ｋの左側電極タップ３１０-ｌｔと反対極性の電極タップである。左側電極タップ３２０-ｌｔ及び右側電極タップ３２０-ｒｔには、各々、締結溝３２０-ｌｔｈ、３２０-ｒｔｈが形成される。一方、実施例１の左側電極タップ３２０-ｌｔ及び右側電極タップ３２０-ｒｔには、各々、締結溝３２０-ｌｔｈ、３２０-ｒｔｈの代わりに締結孔（図示せず）が形成されることができる。
【００７３】
即ち、特定メインフレーム１３０＋ｍを除いたメインフレーム１３０＋ｋには、第１のタイプリチウム２次電池３１０＋ｋ及び第２のタイプリチウム２次電池３２０＋ｋが各々収容される。
【００７４】
図９を参照すると、メインフレーム１３０＋ｋに収容された第１のタイプリチウム２次電池３１０＋ｋの右側電極タップ３１０-ｒｔとメインフレーム１３０＋ｋに収容された第２のタイプリチウム２次電池３２０＋ｋの左側電極タップ３２０-ｌｔは、第１の締結手段４１０＋ｋによって直列に通電可能に連結される。
【００７５】
図９を参照すると、第１の締結手段４１０＋ｋは、第１の下部固定板４１０-１、第１の上部固定板４１０-２、及び第１の締結部材４１０-３を有する。第１の下部固定板４１０-１、第１の上部固定板４１０-２及び第１の締結部材４１０-３は、各々、導体であってもよい。第１の下部固定板４１０-１は、メインフレーム１３０＋ｋの第１のタップ支持部１３０-８に装着され、嵌合突起１３０-８ｐに嵌合される嵌合溝４１０-１ｈが形成される。第１の下部固定板４１０-１にはボルト（図面符号無し）が上方に突出形成される。第１の上部固定板４１０-２には第１の下部固定板４１０-１のボルト（図面符号無し）が貫通される貫通溝（図面符号無し）が形成される。第１の上部固定板４１０-２には固定板コネクター４１０-２ｃが取り付けられる。
【００７６】
図９を参照すると、第１の締結部材４１０-３は、第１の下部固定板４１０-１のボルト（図面符号無し）端部に嵌合される。第１のタイプリチウム２次電池３１０＋ｋの右側電極タップ３１０-ｒｔと第２のタイプリチウム２次電池３２０＋ｋの左側電極タップ３２０-ｌｔは、各々、第１の下部固定板４１０-１と第１の上部固定板４１０-２との間に嵌合され、第１の締結部材４１０-３によって相互通電可能に締結される。この際、第１のタイプリチウム２次電池３１０＋ｋの右側電極タップ３１０-ｒｔと第２のタイプリチウム２次電池３２０＋ｋの左側電極タップ３２０-ｌｔは、上下に積層され、第１のタイプリチウム２次電池３１０＋ｋの締結溝３１０-ｒｔｈ及び第２のタイプリチウム２次電池３２０＋ｋの締結溝３２０-ｌｔｈが各々第１の下部固定板４１０-１のボルト（図面符号無し）を囲むようになる。従って、第１のタイプリチウム２次電池３１０＋ｋの右側電極タップ３１０-ｒｔと第２のタイプリチウム２次電池３２０＋ｋの左側電極タップ３２０-ｌｔとの間の接触面積が増加して通電状態が良好になり、締結力が大きくなって離脱が防止される。
【００７７】
図９を参照すると、固定板コネクター４１０-２ｃは、第１の上部固定板４１０-２に取り付けられ、メインフレーム１３０＋ｋに収容された第１のタイプリチウム２次電池３１０＋ｋの右側電極タップ３１０-ｒｔ及びメインフレーム１３０＋ｋに収容された第２のタイプリチウム２次電池３２０＋ｋの左側電極タップ３２０-ｌｔと電気的に通電されるように連結される。固定板コネクター４１０-２ｃには、電圧測定器（図示せず）に連結されたｋ番目の後方電圧測定ライン（図示せず）側のコネクター（図示せず）が挿着される。ｋ=ｒの場合、図７を共に参照すると、ｒ番目の後方電圧測定ライン（図示せず）は、左側メインフレーム１３０＋ｒの小幅部１３０-７ｓと右側メインフレーム１３０＋（ｒ＋１）の小幅部１３０-７ｓとが形成する第２の隙間（１３０-７ｔ２）を通して第１の締結手段４１０＋ｋ（図９参照）の固定板コネクター４１０-２ｃ（図９参照）側にガイドされる。
【００７８】
図１０は、実施例１のセンターフレーム及びセンターフレームに固定される第１のタイプリチウム２次電池及び第２のタイプリチウム２次電池の分解斜視図を示す。
【００７９】
図１０を参照すると、左側メインフレーム１３０＋ｊに収容された第２のタイプリチウム２次電池３２０＋ｊの右側電極タップ３２０-ｒｔと、右側メインフレーム１３０＋（ｊ＋１）に収容された第１のタイプリチウム２次電池３１０＋（ｊ＋１）の左側電極タップ３１０-ｌｔは、第２の締結手段４２０＋ｊによって直列に通電可能に連結される。ここで、ｊは、（ｍ-１）とｍを除いた１からｎまでの自然数である。
【００８０】
図１０を参照すると、第２の締結手段４２０＋ｊは、第２の下部固定板４２０-１、第２の上部固定板４２０-２、及び第２の締結部材４２０-３を有する。第２の下部固定板４２０-１、第２の上部固定板４２０-２、及び第２の締結部材４２０-３は、各々、導体であってもよい。第２の下部固定板４２０-１は、センターフレーム２３０＋ｊの第２のタップ支持部２３０-８に装着され、嵌合突起２３０-８ｐに嵌合される嵌合溝４２０-１ｈが形成される。第２の下部固定板４２０-１にはボルト（図面符号無し）が上方に突出形成される。第２の上部固定板４２０-２には、第２の下部固定板４２０-１のボルト（図面符号無し）が貫通される貫通溝（図面符号無し）が形成される。第２の上部固定板４２０-２には、固定板コネクター４２０-２ｃが取り付けられる。
【００８１】
図１０を参照すると、第２の締結部材４２０-３は、第２の下部固定板４２０-１のボルト（図面符号無し）端部に嵌合される。第２のタイプリチウム２次電池３２０＋ｊの右側電極タップ３２０-ｒｔと第１のタイプリチウム２次電池３１０＋（ｊ＋１）の左側電極タップ３１０-ｌｔは、各々、第２の下部固定板４２０-１と第２の上部固定板４２０-２との間に嵌合され、第２の締結部材４２０-３によって相互通電可能に締結される。この際、第２のタイプリチウム２次電池３２０＋ｊの右側電極タップ３２０-ｒｔと第１のタイプリチウム２次電池３１０＋（ｊ＋１）の左側電極タップ３１０-ｌｔは、相互積層され、第２のタイプリチウム２次電池３２０＋ｊの締結溝３２０-ｒｔｈ及び第１のタイプリチウム２次電池３１０＋（ｊ＋１）の締結溝３１０-ｌｔｈが各々第２の下部固定板４２０-１のボルト（図面符号無し）を囲むようになる。従って、第２のタイプリチウム２次電池３２０＋ｊの右側電極タップ３２０-ｒｔと第１のタイプリチウム２次電池３１０＋（ｊ＋１）の左側電極タップ３１０-ｌｔとの間の接触面積が増加して通電状態が良好になり、締結力が大きくなって離脱が防止される。
【００８２】
図１０を参照すると、固定板コネクター４２０-２ｃは、第２の上部固定板４２０-２に取り付けられ、左側メインフレーム１３０＋ｊに収容された第２のタイプリチウム２次電池３２０＋ｊの右側電極タップ３２０-ｒｔ及び右側メインフレーム１３０＋（ｊ＋１）に収容された第１のタイプリチウム２次電池３１０＋（ｊ＋１）の左側電極タップ３１０-ｌｔと電気的に通電されるように連結される。固定板コネクター４２０-２ｃには、電圧測定器（図示せず）に連結されたｊ番目の前方電圧測定ライン（図示せず）側のコネクター（図示せず）が挿着される。図７を共に参照すると、ｊ番目の前方電圧測定ライン（図示せず）は、左側メインフレーム１３０＋ｊの小幅部１３０-６ｓと右側メインフレーム１３０＋（ｊ＋１）の小幅部１３０-６ｓとが形成する第２の隙間１３０-６ｔ２を通して第２の締結手段４２０＋ｊの固定板コネクター４２０-２ｃ側にガイドされる。
【００８３】
図１１は、実施例１の左側バスバー及び右側バスバーの締結状態を説明するための分解斜視図を示す。
【００８４】
図１１を参照すると、左側群メインフレーム（図面符号無し）のうち右側端に設置される右側端メインフレーム１３０＋（ｍ-１）に収容された第２のタイプリチウム２次電池３２０＋（ｍ-１）の右側電極タップ３２０-ｒｔと左側バスバー７１０は、左側バスバー締結手段８１０によって通電可能に連結される。
【００８５】
図１１を参照すると、左側バスバー締結手段８１０は、左側バスバー固定板８１１及び左側バスバー締結部材８１３を有する。左側バスバー固定板８１１及び左側バスバー締結部材８１３は、各々、導体であってもよい。左側バスバー固定板８１１は、センターフレーム２３０＋（ｍ-１）の第２のタップ支持部２３０-８に装着され、嵌合突起２３０-８ｐに嵌合される嵌合溝８１１ｈが形成される。左側バスバー固定板８１１にはボルト（図面符号無し）が上方に突出形成される。
【００８６】
図１１を参照すると、左側バスバー７１０は、左側バスバー締結板７１１及び左側バスバー延長部７１２を含む。左側バスバー締結板７１１には、左側バスバー固定板８１１のボルト（図面符号無し）が貫通される貫通溝（図面符号無し）が形成される。左側バスバー締結板７１１には、締結板コネクター７１１ｃが取り付けられる。
【００８７】
図１１を参照すると、左側バスバー締結部材８１３は、左側バスバー固定板８１１のボルト（図面符号無し）端部に嵌合される。第２のタイプリチウム２次電池３２０＋（ｍ-１）の右側電極タップ３２０-ｒｔは、左側バスバー固定板８１１と左側バスバー締結板７１１との間に嵌合され、左側バスバー締結部材８１３によって固定される。この際、第２のタイプリチウム２次電池３２０＋（ｍ-１）の締結溝３２０-ｒｔｈが左側バスバー固定板８１１のボルト（図面符号無し）を囲むようになる。
【００８８】
一方、図１１を参照すると、左側バスバー固定板８１１と左側バスバー締結板７１１との間にはダミー（ｄｕｍｍｙ）電極タップ８１０-ｄｔが引き込まれて固定される。ダミー（ｄｕｍｍｙ）電極タップ８１０-ｄｔは、第１のタイプリチウム２次電池３１０＋ｋ（図９参照）の左側電極タップ３１０-ｌｔ（図９参照）と同一材質の電極タップである。従って、左側バスバー固定板８１１と左側バスバー締結板７１１との間の抵抗は、第２の締結手段４２０＋ｊ（図１０参照）の第２の下部固定板４２０-１（図１０参照）と第２の上部固定板４２０-２（図１０参照）との間の抵抗と同一に調節することができる。
【００８９】
図１１を参照すると、締結板コネクター７１１ｃは、左側バスバー締結板７１１に取り付けられ、左側群メインフレーム（図面符号無し）の右側端メインフレーム１３０＋（ｍ-１）に収容された第２のタイプリチウム２次電池３２０＋（ｍ-１）の右側電極タップ３２０-ｒｔ及びダミー（ｄｕｍｍｙ）電極タップ８１０-ｄｔと電気的に通電されるように連結される。締結板コネクター７１１ｃには、電圧測定器（図示せず）に連結された（ｍ-１）番目の前方電圧測定ライン（図示せず）側のコネクター（図示せず）が挿着される。（ｍ-１）番目の前方電圧測定ライン（図示せず）は、左側群メインフレーム（図面符号無し）の右側端メインフレーム１３０＋（ｍ-１）の小幅部１３０-６ｓと特定メインフレーム１３０＋ｍの小幅部１３０-６ｓとが形成する隙間を通して左側バスバー締結板７１１の締結板コネクター７１１ｃ側にガイドされる。
【００９０】
一方、図１１を参照すると、（ｍ-１）番目の後方電圧測定ライン（図示せず）は、左側群メインフレーム（図面符号無し）の右側端メインフレーム１３０＋（ｍ-１）の小幅部１３０-７ｓと特定メインフレーム１３０＋ｍの小幅部１３０-７ｓとが形成する隙間を通して右側端メインフレーム１３０＋（ｍ-１）に装着される第１の締結手段（図示せず）の固定板コネクター（図示せず）側にガイドされる。
【００９１】
図１１を参照すると、左側バスバー延長部７１２は、センターフレーム２３０＋（ｍ-１）、２３０＋ｍ、...の第２のバスバーガイド管２３０-１０及びメインフレーム１３０＋ｍ、１３０＋（ｍ＋１）、...の第１のバスバーガイド管１３０-１０を通して右側にガイドされる。左側バスバー延長部７１２は、左側バスバー締結板７１１に連結される一側端付近から上方に切曲されるように形成される。左側バスバー延長部７１２がセンターフレーム２３０＋（ｍ-１）、２３０＋ｍ、...の第２のバスバーガイド管２３０-１０及びメインフレーム１３０＋ｍ、１３０＋（ｍ＋１）、...の第１のバスバーガイド管１３０-１０を通して右側にガイドされるように、左側バスバー締結板７１１が装着されるセンターフレーム２３０＋（ｍ-１）に形成された第２のバスバーガイド管２３０-１０の前方側壁は除去される。左側バスバー延長部７１２は絶縁体で被覆される。
【００９２】
図１１を参照すると、右側群メインフレーム（図面符号無し）のうち左側端に設置される左側端メインフレーム１３０＋（ｍ＋１）に収容された第１のタイプリチウム２次電池３１０＋（ｍ＋１）の左側電極タップ３１０-ｌｔと右側バスバー７２０は、右側バスバー締結手段８２０によって通電可能に連結される。
【００９３】
図１１を参照すると、右側バスバー締結手段８２０は、右側バスバー固定板８２１及び右側バスバー締結部材８２３を有する。右側バスバー固定板８２１及び右側バスバー締結部材８２３は、各々、導体であってもよい。右側バスバー固定板８２１は、センターフレーム２３０＋ｍの第２のタップ支持部２３０-８に装着され、嵌合突起２３０-８ｐに嵌合される嵌合溝８２１ｈが形成される。右側バスバー固定板８２１にはボルト（図面符号無し）が上方に突出形成される。
【００９４】
図１１を参照すると、右側バスバー７２０は、右側バスバー締結板７２１及び右側バスバー延長部７２２を含む。右側バスバー締結板７２１には右側バスバー固定板８２１のボルト（図面符号無し）が貫通される貫通溝（図面符号無し）が形成される。右側バスバー締結板７２１には締結板コネクター７２１ｃが取り付けられる。
【００９５】
図１１を参照すると、右側バスバー締結部材８２３は、右側バスバー固定板８２１のボルト（図面符号無し）端部に嵌合される。第１のタイプリチウム２次電池３１０＋（ｍ＋１）の左側電極タップ３１０-ｌｔは、右側バスバー固定板８２１と右側バスバー締結板７２１との間に嵌合され、右側バスバー締結部材８２３によって固定される。この際、第１のタイプリチウム２次電池３１０＋（ｍ＋１）の締結溝３１０-ｌｔｈが右側バスバー固定板８２１のボルト（図面符号無し）を囲むようになる。
【００９６】
一方、図１１を参照すると、右側バスバー固定板８２１と右側バスバー締結板７２１との間にはダミー（ｄｕｍｍｙ）電極タップ８２０-ｄｔが引き込まれて固定される。ダミー（ｄｕｍｍｙ）電極タップ８２０-ｄｔは、第２のタイプリチウム２次電池３２０＋ｋ（図９参照）の右側電極タップ３２０-ｒｔ（図９参照）と同一材質の電極タップである。従って、右側バスバー固定板８２１と右側バスバー締結板７２１との間の抵抗は、第２の締結手段４２０＋ｊ（図１０参照）の第２の下部固定板４２０-１（図１０参照）と第２の上部固定板４２０-２（図１０参照）との間の抵抗と同一に調節することができる。
【００９７】
図１１を参照すると、締結板コネクター７２１ｃは、右側バスバー締結板７２１に取り付けられ、右側群メインフレーム（図面符号無し）の左側端メインフレーム１３０＋（ｍ＋１）に収容された第１のタイプリチウム２次電池３１０＋（ｍ＋１）の左側電極タップ３１０-ｌｔ及びダミー（ｄｕｍｍｙ）電極タップ８２０-ｄｔと電気的に通電されるように連結される。締結板コネクター７２１ｃには電圧測定器（図示せず）に連結された（ｍ＋１）番目の前方電圧測定ライン（図示せず）側のコネクター（図示せず）が挿着される。（ｍ＋１）番目の前方電圧測定ライン（図示せず）は、右側群メインフレーム（図面符号無し）の左側端メインフレーム１３０＋（ｍ＋１）の小幅部１３０-６ｓと特定メインフレーム１３０＋ｍの小幅部１３０-６ｓとが形成する隙間を通して右側バスバー締結板７２１の締結板コネクター７２１ｃ側にガイドされる。
【００９８】
一方、図１１を参照すると、（ｍ＋１）番目の後方電圧測定ライン（図示せず）は、右側群メインフレーム（図面符号無し）の左側端メインフレーム１３０＋（ｍ＋１）の小幅部１３０-７ｓと特定メインフレーム１３０＋ｍの小幅部１３０-７ｓとが形成する隙間を通して左側端メインフレーム１３０＋（ｍ＋１）に装着される第１の締結手段（図示せず）の固定板コネクター（図示せず）側にガイドされる。
【００９９】
図１１を参照すると、右側バスバー延長部７２２は、センターフレーム２３０＋ｍ、...の第２のバスバーガイド管２３０-１０及びメインフレーム１３０＋（ｍ＋１）、...の第１のバスバーガイド管１３０-１０を通して右側にガイドされる。右側バスバー延長部７２２は、左側バスバー延長部７１２の下部に位置し、左側バスバー延長部７１２が上方に切曲形成されるため、右側バスバー延長部７２２は、左側バスバー延長部７１２と接触し、その下部に積層される。右側バスバー延長部７２２がセンターフレーム２３０＋ｍ、...の第２のバスバーガイド管２３０-１０及びメインフレーム１３０＋（ｍ＋１）、...の第１のバスバーガイド管１３０-１０を通して右側にガイドされるように、右側バスバー締結板７２１が装着されるセンターフレーム２３０＋ｍに形成された第２のバスバーガイド管２３０-１０の前方側壁は除去される。右側バスバー延長部７２２は絶縁体で被覆される。
【０１００】
図１２は、実施例１の右側エンドフレーム及び右側エンドフレームに固定される第２のタイプリチウム２次電池の分解斜視図を示す。
【０１０１】
図１２を参照すると、右側エンドフレーム１２０の上段部には露出された第４のタップ支持部１２０-８が形成される。第４のタップ支持部１２０-８は、一字形の板状で形成され、第４のタップ支持部１２０-８の前方側端及び後方側端には、各々、嵌合突起１２０-８ｐが突出形成される。
【０１０２】
図１２を参照すると、右側エンドフレーム１２０の上段部には第４のタップ支持部１２０-８と同一形態の第４の仮想タップ支持部１２０-９が形成される。従って、第４の仮想タップ支持部１２０-９の前方側端及び後方側端には、各々、仮想嵌合突起１２０-９ｐが突出形成される。第４の仮想タップ支持部１２０-９は、第４のタップ支持部１２０-８の水平延長線上に形成される。
【０１０３】
図１２を参照すると、第４のタップ支持部１２０-８と第４の仮想タップ支持部１２０-９との間にはバスバー延長部７１２、７２２をガイドすることができる“Ｕ”字形の第４のバスバー（ｂｕｓ ｂａｒ）ガイド管１２０-１０が形成される。第４のバスバー（ｂｕｓ ｂａｒ）ガイド管１２０-１０を基準に、第４のタップ支持部１２０-８は前方に形成され、第４の仮想タップ支持部１２０-９は後方に形成される。
【０１０４】
図１２を参照すると、第４のタップ支持部１２０-８の前方側端には、先端部が前方に突出される前方離隔突起１２０-６が形成される。前方離隔突起１２０-６には、一字形管が左右側方向に取り付けられることができる取付溝１２０-６ｇが上段から引き込まれて形成される。前方離隔突起１２０-６は、後端部に形成される小幅部１２０-６ｓと、小幅部１２０-６ｓに連接して形成される大幅部１２０-６ｌと、小幅部１２０-６ｓの左側端の下部に大幅部１２０-６ｌと離隔されて左側に突出形成される左側突出部１２０-６ｓｌからなる。大幅部１２０-６ｌは、小幅部１２０-６ｓの左側に突出され、小幅部１２０-６ｓより大きい幅を有し、大幅部１２０-６ｌの左側端と左側突出部１２０-６ｓｌの左側端は同一平面上に位置する。前方離隔突起１２０-６の取付溝１２０-６ｇは、一部が前方離隔突起１２０-６の小幅部１２０-６ｓに形成され、残りは前方離隔突起１２０-６の大幅部１２０-６ｌに形成される。前方離隔突起１２０-６には、小幅部１２０-６ｓ及び左側突出部１２０-６ｓｌの左右側を貫通して左側突出部１２０-６ｓｌの左側に突出される中空軸形状の中空締結突起１２０-６ｐが形成される。
【０１０５】
図１２を参照すると、第４の仮想タップ支持部１２０-９の後方側端には後端部が後方に突出される後方離隔突起１２０-７が形成される。後方離隔突起１２０-７には一字形管が左右側方向に取り付けられることができる取付溝１２０-７ｇが上段から引き込まれて形成される。後方離隔突起１２０-７は、前端部に形成される小幅部１２０-７ｓと、小幅部１２０-７ｓに連接して形成される大幅部１２０-７ｌと、小幅部１２０-７ｓの左側端の下部に大幅部１２０-７ｌと離隔されて左側に突出形成される左側突出部１２０-７ｓｌと、からなる。大幅部１２０-７ｌは、小幅部１２０-７ｓの左側に突出され、小幅部１２０-７ｓより大きい幅を有し、大幅部１２０-７ｌの左側端と左側突出部１２０-７ｓｌの左側端は、同一平面上に位置する。後方離隔突起１２０-７の取付溝１２０-７ｇは、一部が後方離隔突起１２０-７の小幅部１２０-７ｓに形成され、残りは後方離隔突起１２０-７の大幅部１２０-７ｌに形成される。後方離隔突起１２０-７には、小幅部１２０-７ｓ及び左側突出部１２０-７ｓｌの左右側を貫通して左側突出部１２０-７ｓｌの左側に突出される中空軸形状の中空締結突起１２０-７ｐが形成される。
【０１０６】
図１２を参照すると、右側エンドフレーム１２０の前方外側面の下段には下部前方結合突起１２０-１２が前方に突出形成され、右側エンドフレーム１２０の後方外側面の下段には下部後方結合突起１２０-１３が後方に突出形成される。下部前方結合突起１２０-１２及び下部後方結合突起１２０-１３には左右側を貫通する中空軸形状の中空締結突起１２０-１２ｐ、１２０-１３ｐが各々左右側に突出形成される。中空締結突起１２０-１２ｐは、左側端が左側端メインフレーム１３０＋ｎの締結孔１３０-１２ｈ右側に締結されるように形成される。同様に、中空締結突起１２０-１３ｐは、左側端が左側端メインフレーム１３０＋ｎの締結孔１３０-１３ｈ右側に締結されるように形成される。
【０１０７】
図１２を参照すると、右側エンドフレーム１２０には温度センサー前方挿着溝１２０-２ｇ及び温度センサー後方挿着溝１２０-３ｇが形成される。温度センサー前方挿着溝１２０-２ｇは、右側エンドフレーム１２０の左側面に凹入形成され、先端部が前方に開放されるように形成される。温度センサー前方挿着溝１２０-２ｇは、その開放された先端部が左側端メインフレーム１３０＋ｎの前方垂直板の右側溝１３０-２ｒｇと隣接して貫通孔を形成することによって、後方温度センサー（図示せず）が挿着可能にする。温度センサー前方挿着溝１２０-２ｇに挿着された前方温度センサー（図示せず）に連結された温度測定ライン（図示せず）は、右側端メインフレーム１３０＋ｎの小幅部１３０-６ｓと右側エンドフレーム１２０の小幅部１２０-６ｓとが形成する隙間を通してガイドされ、メインフレーム１３０＋１、...、１３０＋ｒ、１３０＋（ｒ＋１）、...、１３０＋ｎの取付溝１３０-６ｇに取り付けられる一字形のガイド管（図示せず）に引き込まれる。温度センサー後方挿着溝１２０-３ｇ及びこれに挿着される後方温度センサー（図示せず）に連結された温度測定ライン（図示せず）に対する説明は、温度センサー前方挿着溝１２０-２ｇ及びこれに挿着される前方温度センサー（図示せず）に連結された温度測定ライン（図示せず）の説明に準じる。
【０１０８】
図１２を参照すると、右側端メインフレーム１３０＋ｎに収容された第２のタイプリチウム２次電池３２０＋ｎの右側電極タップ３２０-ｒｔは、第４の締結手段４４０によって第４のタップ支持部１２０-８に装着固定される。
【０１０９】
図１２を参照すると、第４の締結手段４４０は、第４の下部固定板４４０-１、第４の上部固定板４４０-２、及び第４の締結部材４４０-３を有する。第４の下部固定板４４０-１、第４の上部固定板４４０-２、及び第４の締結部材４４０-３は、各々、導体であってもよい。第４の下部固定板４４０-１は、右側エンドフレーム１２０の第４のタップ支持部１２０-８に装着され、嵌合突起１２０-８ｐに嵌合される嵌合溝４４０-１ｈが形成される。第４の下部固定板４４０-１にはボルト（図面符号無し）が上方に突出形成される。第４の上部固定板４４０-２には第４の下部固定板４４０-１のボルト（図面符号無し）が貫通される貫通溝（図面符号無し）が形成される。第４の上部固定板４４０-２には固定板コネクター４４０-２ｃが取り付けられる。
【０１１０】
図１２を参照すると、第４の締結部材４４０-３は、第４の下部固定板４４０-１のボルト（図面符号無し）端部に嵌合される。第２のタイプリチウム２次電池３２０＋ｎの右側電極タップ３２０-ｒｔは、第４の下部固定板４４０-１と第４の上部固定板４４０-２との間に嵌合され、第４の締結部材４４０-３によって固定される。この際、第２のタイプリチウム２次電池３２０＋ｎの締結溝３２０-ｒｔｈが第４の下部固定板４４０-１のボルト（図面符号無し）を囲むようになる。
【０１１１】
一方、図１２を参照すると、第４の下部固定板４４０-１と第４の上部固定板４４０-２との間にはダミー（ｄｕｍｍｙ）電極タップ４４０-ｄｔが引き込まれて固定される。ダミー（ｄｕｍｍｙ）電極タップ４４０-ｄｔは、第１のタイプリチウム２次電池３１０＋ｋ（図９参照）の左側電極タップ３１０-ｌｔと同一材質の電極タップである。従って、第４の締結手段４４０の第４の下部固定板４４０-１と第４の上部固定板４４０-２との間の抵抗は、第１の締結手段４１０＋ｎの第１の下部固定板４１０-１と第１の上部固定板４１０-２との間の抵抗と同一に調節することができる。
【０１１２】
図１２を参照すると、固定板コネクター４４０-２ｃは、第４の上部固定板４４０-２に取り付けられ、右側端メインフレーム１３０＋ｎに収容された第２のタイプリチウム２次電池３２０＋ｎの右側電極タップ３２０-ｒｔ及びダミー（ｄｕｍｍｙ）電極タップ４４０-ｄｔと電気的に通電されるように連結される。固定板コネクター４４０-２ｃには、電圧測定器（図示せず）に連結されたｎ番目の前方電圧測定ライン（図示せず）側のコネクター（図示せず）が挿着される。ｎ番目の前方電圧測定ライン（図示せず）は、右側端メインフレーム１３０＋ｎの小幅部１３０-６ｓと右側エンドフレーム１２０の小幅部１２０-６ｓとが形成する隙間を通して第４の締結手段４４０の固定板コネクター４４０-２ｃ側にガイドされる。
【０１１３】
一方、図１２を参照すると、ｎ番目の後方電圧測定ライン（図示せず）は、右側端メインフレーム１３０＋ｎの小幅部１３０-７ｓと右側エンドフレーム１２０の小幅部１２０-７ｓとが形成する隙間を通して第１の締結手段４１０＋ｎの固定板コネクター４１０-２ｃ側にガイドされる。
【０１１４】
図１３は、実施例１の左側エンドフレーム及び左側エンドフレームに固定される第１のタイプリチウム２次電池の分解斜視図を示す。
【０１１５】
図１３に示す左側エンドフレーム１１０は、図１２に示す右側エンドフレーム１２０のミラーイメージ（ｍｉｒｒｏｒｉｍａｇｅ）である。従って、左側エンドフレーム１１０の上段部には、第４のタップ支持部１２０-８と対向する方向に露出された第３のタップ支持部（図示せず）が形成される。上記第３のタップ支持部（図示せず）の前方側端及び後方側端には、第４のタップ支持部１２０-８と同様に、各々、嵌合突起（図示せず）が突出形成される。また、左側エンドフレーム１１０の上段部には、第４の仮想タップ支持部１２０-９と対向する方向に第３の仮想タップ支持部（図示せず）が形成される。上記第３の仮想タップ支持部（図示せず）の前方側端及び後方側端には、第４の仮想タップ支持部１２０-９と同様に、各々、仮想嵌合突起（図示せず）が突出形成される。また、左側エンドフレーム１１０には“Ｕ”字形の第３のバスバー（ｂｕｓ ｂａｒ）ガイド管１１０-１０が形成される。また、左側エンドフレーム１１０の上段には前方離隔突起１１０-６及び後方離隔突起１１０-７が形成される。また、左側エンドフレーム１１０の下段には下部前方結合突起１１０-１２及び下部後方結合突起１１０-１３が形成される。同様に、左側エンドフレーム１１０には温度センサー前方挿着溝（図示せず）及び温度センサー後方挿着溝（図示せず）が形成される。これらに対する説明及びその他の左側エンドフレーム１１０の他の部分に対する説明は、右側エンドフレーム１２０に対する説明に準する。
【０１１６】
図１３を参照すると、左側端メインフレーム１３０＋１に収容された第１のタイプリチウム２次電池３１０＋１の左側電極タップ３１０-ｌｔは、第３の締結手段４３０によって第３のタップ支持部（図示せず）に装着固定される。
【０１１７】
図１３を参照すると、第３の締結手段４３０は、第３の下部固定板４３０-１、第３の上部固定板４３０-２、及び第３の締結部材４３０-３を有する。第３の下部固定板４３０-１、第３の上部固定板４３０-２、及び第３の締結部材４３０-３は、各々、導体であってもよい。第３の下部固定板４３０-１は、左側エンドフレーム１１０の第３のタップ支持部（図示せず）に装着され、嵌合突起（図示せず）に嵌合される嵌合溝４３０-１ｈが形成される。第３の下部固定板４３０-１にはボルト（図面符号無し）が上方に突出形成される。第３の上部固定板４３０-２には第３の下部固定板４３０-１のボルト（図面符号無し）が貫通される貫通溝（図面符号無し）が形成される。第３の上部固定板４３０-２には固定板コネクター４３０-２ｃが取り付けられる。
【０１１８】
図１３を参照すると、第３の締結部材４３０-３は、第３の下部固定板４３０-１のボルト（図面符号無し）端部に嵌合される。第１のタイプリチウム２次電池３１０＋１の左側電極タップ３１０-ｌｔは、第３の下部固定板４３０-１と第３の上部固定板４３０-２との間に嵌合され、第３の締結部材４３０-３によって固定される。この際、第１のタイプリチウム２次電池３１０＋１の締結溝３１０-ｌｔｈが第３の下部固定板４３０-１のボルト（図面符号無し）を囲むようになる。
【０１１９】
一方、図１３を参照すると、第３の下部固定板４３０-１と第３の上部固定板４３０-２との間にはダミー（ｄｕｍｍｙ）電極タップ４３０-ｄｔが引き込まれて固定される。ダミー（ｄｕｍｍｙ）電極タップ４３０-ｄｔは、第２のタイプリチウム２次電池３２０＋ｋ（図９参照）の右側電極タップ３１０-ｒｔ（図９参照）と同一材質の電極タップである。従って、第３の締結手段４３０の第３の下部固定板４３０-１と第３の上部固定板４３０-２との間の抵抗は、第１の締結手段４１０＋１の第１の下部固定板４１０-１と第１の上部固定板４１０-２との間の抵抗と同一に調節することができる。
【０１２０】
図１３を参照すると、固定板コネクター４３０-２ｃは、左側端メインフレーム１３０＋１に収容された第１のタイプリチウム２次電池３１０＋１の左側電極タップ３１０-ｌｔ及びダミー（ｄｕｍｍｙ）電極タップ４３０-ｄｔと電気的に通電されるように連結される。固定板コネクター４３０-２ｃには、電圧測定器（図示せず）に連結された０番目の前方電圧測定ライン（図示せず）側のコネクター（図示せず）が挿着される。０番目の前方電圧測定ライン（図示せず）は、左側端メインフレーム１３０＋１の小幅部１３０-６ｓと左側エンドフレーム１１０の小幅部（図面符号無し）とが形成する隙間を通して第３の締結手段４３０の固定板コネクター４３０-２ｃ側にガイドされる。
【０１２１】
従って、実施例１は、図１３を参照すると、０番目の前方電圧測定ライン（図示せず）と１番目の後方電圧測定ライン（図示せず）を用いて左側端メインフレーム１３０＋１に収容された第１のタイプリチウム２次電池３１０＋１の電圧を測定することができ、図１２を参照すると、ｎ番目の前方電圧測定ライン（図示せず）とｎ番目の後方電圧測定ライン（図示せず）を用いて右側端メインフレーム１３０＋ｎに収容された第２のタイプリチウム２次電池３２０＋ｎの電圧を測定することができ、図１０を参照すると、ｊ番目の前方電圧測定ライン（図示せず）とｊ番目の後方電圧測定ライン（図示せず）を用いて隣り合うメインフレームのうち左側メインフレーム１３０＋ｊに収容された第２のタイプリチウム２次電池３２０＋ｊの電圧を測定することができ、また、図１０を参照すると、ｊ番目の前方電圧測定ライン（図示せず）と（ｊ＋１）番目の後方電圧測定ライン（図示せず）を用いて隣り合うメインフレームのうち右側メインフレーム１３０＋（ｊ＋１）に収容された第１のタイプリチウム２次電池３１０＋（ｊ＋１）の電圧を測定することができる。この場合、ダミー（ｄｕｍｍｙ）電極タップ４３０-ｄｔ、４４０-ｄｔによって、左側端メインフレーム１３０＋１に収容された第１のタイプリチウム２次電池３１０＋１及び右側端メインフレーム１３０＋ｎに収容された第２のタイプリチウム２次電池３２０＋ｎに接続される抵抗は、残りのリチウム２次電池に接続される抵抗と同一値を有することができるため、同一条件下でそれぞれのリチウム２次電池の電圧を測定することができる。同様に、図１１を参照すると、（ｍ-１）番目の前方電圧測定ライン（図示せず）と（ｍ-１）番目の後方電圧測定ライン（図示せず）を用いて左側群メインフレームの右側端メインフレーム１３０＋（ｍ-１）に収容された第２のタイプリチウム２次電池３２０＋（ｍ-１）の電圧を測定することができ、ｍ番目の前方電圧測定ライン（図示せず）と（ｍ＋１）番目の後方電圧測定ライン（図示せず）を用いて右側群メインフレームの左側端メインフレーム１３０＋（ｍ＋１）に収容された第１のタイプリチウム２次電池３１０＋（ｍ＋１）の電圧を測定することができる。この場合、ダミー（ｄｕｍｍｙ）電極タップ８１０-ｄｔ、８２０-ｄｔによって、左側群メインフレームの右側端メインフレーム１３０＋（ｍ-１）に収容された第２のタイプリチウム２次電池３２０＋（ｍ-１）に接続される抵抗及び右側群メインフレームの左側端メインフレーム１３０＋（ｍ＋１）に収容された第１のタイプリチウム２次電池３１０＋（ｍ＋１）に接続される抵抗は、残りのリチウム２次電池に接続される抵抗と同一値を有することができるため、同一条件下でそれぞれのリチウム２次電池の電圧を測定することができる。
【０１２２】
図１４は、ダミー電極タップを装着しない場合の電圧分布のグラフを示し、図１５は、ダミー電極タップを装着した場合の電圧分布のグラフを示す。
【０１２３】
左側群メインフレームが１６個であり、右側群メインフレームが６個である場合、積層されたリチウム２次電池を左側からセル（Ｃｅｌｌ）＃１、セル（Ｃｅｌｌ）＃２、...、セル（Ｃｅｌｌ）＃３２、セル（Ｃｅｌｌ）＃３３、...、セル（Ｃｅｌｌ）＃４３、セル（Ｃｅｌｌ）＃４４とすると、図１４は、セル（Ｃｅｌｌ）＃１の左側電極タップ、セル（Ｃｅｌｌ）＃３２の右側電極タップ、セル（Ｃｅｌｌ）＃３３の左側電極タップ、及びセル（Ｃｅｌｌ）＃４４の右側電極タップに、各々、ダミー電極タップが積層されない場合の電圧分布のグラフであり、図１５は、セル（Ｃｅｌｌ）＃１の左側電極タップ、セル（Ｃｅｌｌ）＃３２の右側電極タップ、セル（Ｃｅｌｌ）＃３３の左側電極タップ、及びセル（Ｃｅｌｌ）＃４４の右側電極タップに、各々、ダミー電極タップが積層された場合の電圧分布のグラフである。
【０１２４】
図１４を参照すると、瞬間放電の際、セル（Ｃｅｌｌ）＃１、セル（Ｃｅｌｌ）＃３２、セル（Ｃｅｌｌ）＃３３、セル（Ｃｅｌｌ）＃４４の電圧降下幅は、残りのセル（Ｃｅｌｌ）の電圧降下幅より相対的に大きいため、この際の電圧分布値は約９５ｍＶであることが分かる。ただ、この場合にもセル（Ｃｅｌｌ）＃１、セル（Ｃｅｌｌ）＃３２、セル（Ｃｅｌｌ）＃３３、セル（Ｃｅｌｌ）＃４４を除いた電圧分布値は約２６．８ｍＶと確認された。
【０１２５】
図１５を参照すると、瞬間放電の際、セル（Ｃｅｌｌ）＃１、セル（Ｃｅｌｌ）＃３２、セル（Ｃｅｌｌ）＃３３、セル（Ｃｅｌｌ）＃４４の電圧降下幅は、残りのセル（Ｃｅｌｌ）の電圧降下幅と類似であり、この際の電圧分布値は約２６．８ｍＶであることが分かる。
【０１２６】
即ち、図１４及び図１５を参照すると、ダミー電極タップが装着された場合、それぞれのリチウム２次電池に抵抗が均一に接続されて電圧分布が減るという長所がある。
【０１２７】
図１６の（ａ）は、左側バスバー７１０及び右側バスバー７２０が右側エンドフレーム１２０に締結される前の状態図を示し、図１６の（ｂ）は、左側バスバー７１０及び右側バスバー７２０が右側エンドフレーム１２０に締結された状態図を示す。
【０１２８】
図１６の（ａ）を参照すると、左側バス延長部７１２の他側端は下方に切曲形成される。左側バス延長部７１２の他側端には前方に切曲された左側バスバー締結タップ７１３が形成される。左側バスバー締結タップ７１３には過電流遮断装置（図示せず）に連結される第１の連結タップ（図示せず）との締結のための締結溝及び左側バスバー締結タップ７１３を右側エンドフレーム１２０に固定するための固定ねじ溝（図面符号無し）が形成される。
【０１２９】
図１６の（ａ）を参照すると、右側バス延長部７２２（図１１参照）の他側端は下方に切曲形成される。右側バス延長部７２２（図１１参照）の他側端には後方に切曲された右側バスバー締結タップ７２３が形成される。右側バスバー締結タップ７２３には過電流遮断装置（図示せず）に連結される第２の連結タップ（図示せず）との締結のための締結溝７２３ｈ及び右側バスバー締結タップ７２３を右側エンドフレーム１２０に固定するための固定ねじ溝（図面符号無し）が形成される。左側バスバー締結タップ７１３及び右側バスバー締結タップ７２３は、過電流遮断装置（図示せず）によって相互直列に連結される。過電流遮断装置（図示せず）は、一定大きさ以上の電流が流れる場合、回路を遮断するための装置であり、通常的に使われるフューズである。従って、左側群メインフレーム及び右側群メインフレームに収容されたリチウム２次電池に過電流が流れる場合、過電流遮断装置（図示せず）によって電流が遮断されるため、充電及び放電時に過電流による危険性が解消されるという長所がある。
【０１３０】
図１７は、特定メインフレーム１３０＋ｍと特定メインフレーム１３０＋ｍに収容されるサーマルパッドの分解斜視図を示す。
【０１３１】
図１７を参照すると、特定メインフレーム１３０＋ｍの左側収容部ＬＳ（図５参照）には左側サーマルパッド９１０が収容され、右側収容部ＲＳ（図６参照）には右側サーマルパッド９２０が収容される。サーマルパッド９１０、９２０は、ゴム粘土のように、外力によって形態が自在に変更可能な材質で構成される。従って、左側サーマルパッド９１０が特定メインフレーム１３０＋ｍの左側収容部ＬＳ（図５参照）に収容される場合、左側サーマルパッド９１０の左側面には左側突出部９１０ｌｐが突出形成され、右側面には右側突出部９１０ｒｐが突出形成される。左側突出部９１０ｌｐは多数個形成され、それぞれの左側突出部９１０ｌｐは、センターフレーム２３０＋（ｍ-１）に形成されたそれぞれの格子孔（図面符号無し）を通して左側群メインフレームの右側端メインフレーム１３０＋（ｍ-１）（図１１参照）に収容される第２のタイプリチウム２次電池３２０＋（ｍ-１）（図１１参照）の右側面に接触される。右側突出部９１０ｒｐは、特定メインフレーム１３０＋ｍの中間部に形成され、左側収容部ＬＳ（図５参照）及び右側収容部ＲＳ（図６参照）を連通させる左右側連通孔（図面符号無し）に引き込まれる。
【０１３２】
図１７を参照すると、右側サーマルパッド９２０が右側収容部ＲＳ（図６参照）に収容される場合、右側サーマルパッド９２０の左側面には左側突出部９２０ｌｐが突出形成され、右側面には右側突出部（図示せず）が突出形成される。右側突出部（図示せず）は多数個形成され、それぞれの右側突出部（図示せず）は、センターフレーム２３０＋ｍに形成されたそれぞれの格子孔（図面符号無し）を通して右側群メインフレームの左側端メインフレーム１３０＋（ｍ＋１）（図１１参照）に収容される第１のタイプリチウム２次電池３１０＋（ｍ＋１）（図１１参照）の左側面に接触される。左側突出部９２０ｌｐは、特定メインフレーム１３０＋ｍの中間部に形成され、左側収容部ＬＳ（図５参照）及び右側収容部ＲＳ（図６参照）を連通させる左右側連通孔（図面符号無し）に引き込まれ、左側サーマルパッド９１０の右側突出部９１０ｒｐと接触する。即ち、左側サーマルパッド９１０及び右側サーマルパッド９２０は、左側群メインフレームの右側端メインフレーム１３０＋（ｍ-１）（図１１参照）に収容される第２のタイプリチウム２次電池３２０＋（ｍ-１）と右側群メインフレームの左側端メインフレーム１３０＋（ｍ＋１）（図１１参照）に収容される第１のタイプリチウム２次電池３１０＋（ｍ＋１）（図１１参照）との間の熱伝逹通路となる。従って、左側群メインフレームの右側端メインフレーム１３０＋（ｍ-１）（図１１参照）に収容される第２のタイプリチウム２次電池３２０＋（ｍ-１）及び右側群メインフレームの左側端メインフレーム１３０＋（ｍ＋１）（図１１参照）に収容される第１のタイプリチウム２次電池３１０＋（ｍ＋１）（図１１参照）の温度低下が減少されるため、残りのメインフレームに収容されるリチウム２次電池との温度差が減る。
【０１３３】
図１８の（ａ）は、特定メインフレームにサーマルパッドが収容されない場合、温度センサーにより測定された温度グラフを示し、図１８の（ｂ）は、特定メインフレームにサーマルパッドが収容された場合、温度センサーにより測定された温度グラフを示す。図１８の（ａ）及び（ｂ）を参照すると、横軸のアラビア数字１は、左側エンドフレームの温度センサー前方挿着溝または温度センサー後方挿着溝に装着された温度センサーを示し、アラビア数字２は、左側から１番目のセンターフレームの温度センサー前方挿着溝または温度センサー後方挿着溝に装着された温度センサーを示し、...、アラビア数字１７は、左側から十六番目のセンターフレームの温度センサー前方挿着溝または温度センサー後方挿着溝に装着された温度センサーを示し、アラビア数字１８は、左側から十七番目のセンターフレームの温度センサー前方挿着溝または温度センサー後方挿着溝に装着された温度センサーを示し、...、アラビア数字３８は、右側エンドフレームの温度センサー前方挿着溝または温度センサー後方挿着溝に装着された温度センサーを示す。図１８の（ａ）は、リチウム２次電池が収容されない特定メインフレームが左側から１７番目のメインフレームである場合のグラフであり、図１８の（ａ）を参照すると、左側エンドフレームの温度センサー前方挿着溝または温度センサー後方挿着溝に装着された温度センサーによって測定された温度、左側から十六番目のセンターフレームの温度センサー前方挿着溝または温度センサー後方挿着溝に装着された温度センサーによって測定された温度、左側から十七番目のセンターフレームの温度センサー前方挿着溝または温度センサー後方挿着溝に装着された温度センサーによって測定された温度、及び右側エンドフレームの温度センサー前方挿着溝または温度センサー後方挿着溝に装着された温度センサーによって測定された温度が相対的に低いことが確認される。図１８の（ｂ）は、図１８の（ａ）のグラフが得られた積層構造における特定メインフレームにサーマルパッドが装着された状態で得られたグラフを示す。図１８の（ｂ）を参照すると、図１８の（ａ）と比較し、左側から十六番目のセンターフレームの温度センサー前方挿着溝または温度センサー後方挿着溝に装着された温度センサーによって測定された温度、左側から十七番目のセンターフレームの温度センサー前方挿着溝または温度センサー後方挿着溝に装着された温度センサーによって測定された温度が相対的に高いことが確認される。
【０１３４】
センターフレームにリチウム２次電池の性能と寿命の観点で左側群メインフレーム及び右側群メインフレームに収容されたそれぞれのリチウム２次電池の温度が均等に分布されることが好ましい。実施例１の場合、特定メインフレーム１３０＋ｍに左側サーマルパッド９１０及び右側サーマルパッド９２０が収容されない場合に比べてそれぞれのリチウム２次電池の寿命が延びて性能に優れるという長所がある。
【０１３５】
図１９は、保護蓋５００の背面斜視図を示す。保護蓋５００の背面には第１の保護蓋固定部１３０-９に装着固定される第１の保護蓋部５１０と第２の保護蓋固定部２３０-９に装着固定される第２の保護蓋部５２０を含む。
【０１３６】
図１９を参照すると、第１の保護蓋部５１０は、第１の保護蓋固定部１３０-９に外挿される２個の板からなる第１の締結板５１２を含む。第１の締結板５１２を構成する２個の板間には第１の保護蓋固定部１３０-９上段に支持される支持台５１２-１が形成される。また、第１の締結板を構成する２個の板のうちいずれか一つには第１の保護蓋固定部１３０-９の締結孔１３０-９ｈに挿着される締結突起５１２-３が形成される。
【０１３７】
図１９を参照すると、同様に、第２の保護蓋部５２０は、第２の締結板５２２を含み、第２の締結板５２２には支持台５２２-１及び締結突起５２２-３が形成される。
【０１３８】
保護蓋５００が第１の保護蓋固定部１３０-９及び第２の保護蓋固定部２３０-９に装着固定されることによって、第１のタップ支持部１３０-８（図９参照）に装着される第１の締結手段４１０＋ｋ（図９参照）及び第２のタップ支持部２３０-８（図１０参照）に装着される第２の締結手段４２０＋ｊ（図１０参照）が外部に露出されずに保護される。
【０１３９】
一方、実施例１では、それぞれのメインフレームは、前方垂直板及び後方垂直板に、各々、空気流通孔が形成されるため、特定メインフレームを除いたそれぞれのメインフレームに収容される第１のタイプリチウム２次電池と第２のタイプリチウム２次電池との間に空気が流通される。従って、充電ないし放電過程で発生された熱によってリチウム２次電池が損傷されるのが防止される。
【０１４０】
実施例１は、これに制限されない。
【０１４１】
リチウム２次電池が収容されない収容部を特定群収容部とする時、上記特定群収容部は、隣り合うメインフレームのうち左側メインフレームの右側収容部及び右側メインフレームの左側収容部であってもよい。即ち、実施例１の場合、上記特定群収容部は、上記特定メインフレーム１３０＋ｍの左側メインフレーム及び右側メインフレームでなく、隣り合うメインフレームのうち左側メインフレームの右側収容部及び右側メインフレームの左側収容部であってもよい。
【０１４２】
この場合、第１のタイプリチウム２次電池は、上記特定群収容部の左側に隣り合って位置する左側群収容部のそれぞれの左側収容部及び上記特定群収容部の右側に隣り合って位置する右側群収容部のそれぞれの左側収容部に収容され、第２のタイプリチウム２次電池は、上記左側群収容部のそれぞれの左側収容部及び上記右側群収容部のそれぞれの左側収容部に収容される。左側群収容部は、上記特定群収容部の左側に隣り合って形成される多数個の左側収容部及び右側収容部からなり、右側群収容部は、上記特定群収容部の右側に隣り合って形成される多数個の右側収容部及び左側収容部からなる。
【０１４３】
この場合、左側バスバー締結手段は、上記左側群収容部と上記特定群収容部との間に位置する第１のタップ支持部に装着され、右側バスバー締結手段は、上記特定群収容部と上記右側群収容部との間に位置する第１のタップ支持部に装着される。
【０１４４】
この場合、サーマルパッドは、上記特定群収容部を構成する右側収容部及び左側収容部に収容され、上記左側群収容部の右側端収容部に収容された第１のタイプリチウム２次電池と上記右側群収容部の左側端収容部に収容された第２のタイプリチウム２次電池との間の熱伝逹通路となる。
【０１４５】
その他の事項は、上記特定群収容部が上記特定メインフレーム１３０＋ｍである場合から類推可能であるため、以下、説明を省略する。
【実施例２】
【０１４６】
実施例２は、本発明によるバスバーを備えたリチウム２次電池単位セット（ｓｅｔ）の他の実施例である。以下、上記特定群収容部が上記特定メインフレーム１３０＋ｍである場合に対して説明する。
【０１４７】
図２０は、実施例２のメインフレームとこれに収容されるリチウム２次電池の分解斜視図を示す。
【０１４８】
図２０を参照すると、実施例２の場合、実施例１とは異なってメインフレーム１３０＋ｋの左側収容部には第１のタイプリチウム２次電池３１０＋ｋが多数個収容され、メインフレーム１３０＋ｋの右側収容部には第２のタイプリチウム２次電池３２０＋ｋが多数個収容される。第１のタイプリチウム２次電池３１０＋ｋ及び第２のタイプリチウム２次電池３２０＋ｋは、各々、ｘ個ずつ収容されることができる。実施例２の場合にも実施例１のように左側群メインフレームと右側群メインフレームとの間に設置される特定メインフレームにはリチウム２次電池の代わりにサーマルパッドが収容される。
【０１４９】
図２１は、メインフレーム１３０＋ｋ（図２０参照）に収容される第１のタイプリチウム２次電池３１０＋ｋの右側電極タップ３１０-ｒｔ及び第２のタイプリチウム２次電池３２０＋ｋの左側電極タップ３２０-ｌｔのの積層状態の正面図である。図２１及び図２０を参照すると、第１のタイプリチウム２次電池３１０＋ｋの右側電極タップ３１０-ｒｔは、相互並列に通電されるように各々上下に積層され、第２のタイプリチウム２次電池３２０＋ｋの左側電極タップ３２０-ｌｔも相互並列に通電されるように各々上下に積層される。
【０１５０】
図２２は、メインフレーム１３０＋ｋ（図２０参照）に収容される第１のタイプリチウム２次電池３１０＋ｋの右側電極タップ３１０-ｒｔ及び第２のタイプリチウム２次電池３２０＋ｋの左側電極タップ３２０-ｌｔの締結状態の正面図である。図２２及び図２０を参照すると、メインフレーム１３０＋ｋに収容された多数個の第１のタイプリチウム２次電池３１０＋ｋの右側電極タップ３１０-ｒｔとメインフレーム１３０＋ｋに収容された多数個の第２のタイプリチウム２次電池３２０＋ｋの左側電極タップ３２０-ｌｔは、第１の締結手段４１０＋ｋによって直列に通電可能に連結される。実施例１と同様に、右側電極タップ３１０-ｒｔ及び左側電極タップ３２０-ｌｔには締結溝（図示せず）の代わりに締結孔（図示せず）が形成されることができる。
【０１５１】
図面には示されていないが、同様に、左側群メインフレームに隣り合って設置されるメインフレームのうち左側メインフレームに収容される第２のタイプリチウム２次電池の右側電極タップは、相互並列に通電されるように各々上下に積層され、右側メインフレームに収容される第１のタイプリチウム２次電池の左側電極タップも相互並列に通電されるように各々上下に積層される。同様に、これらは第２の締結手段によって直列に通電可能に連結される。
【０１５２】
図面には示されていないが、実施例２の場合にも、右側群メインフレームの右側端メインフレームに収容される第２のタイプリチウム２次電池の右側電極タップを固定させる第４の締結手段の第４の下部固定板と第４の上部固定板との間にはダミー（ｄｕｍｍｙ）電極タップが引き込まれて固定される。第４の締結手段の第４の下部固定板と第４の上部固定板との間に固定されるダミー（ｄｕｍｍｙ）電極タップは、実施例１の特定メインフレームを除いたそれぞれのメインフレームに収容される第１のタイプリチウム２次電池の個数及び第２のタイプリチウム２次電池の個数と同一であり、これらのダミー（ｄｕｍｍｙ）電極タップは、各々、上下にの積層固定される。同様に、実施例２の場合、左側群メインフレームの左側端メインフレームに収容される第１のタイプリチウム２次電池の左側電極タップを固定させる第３の締結手段の第３の下部固定板と第３の上部固定板との間にはダミー（ｄｕｍｍｙ）電極タップが引き込まれて固定される。第３の締結手段の第３の下部固定板と第３の上部固定板との間に固定されるダミー（ｄｕｍｍｙ）電極タップは、実施例１の特定メインフレームを除いたそれぞれのメインフレームに収容される第１のタイプリチウム２次電池の個数及び第２のタイプリチウム２次電池の個数と同一であり、これらのダミー（ｄｕｍｍｙ）電極タップは、各々、上下にの積層固定される。また、実施例２の場合、左側群メインフレームの右側端メインフレームに収容される第２のタイプリチウム２次電池の右側電極タップを固定させる左側バスバー固定板と左側バスバー締結板との間にはダミー（ｄｕｍｍｙ）電極タップが引き込まれて固定される。左側バスバー固定板と左側バスバー締結板との間に固定されるダミー（ｄｕｍｍｙ）電極タップは、実施例１の特定メインフレームを除いたそれぞれのメインフレームに収容される第１のタイプリチウム２次電池の個数及び第２のタイプリチウム２次電池の個数と同一であり、これらのダミー（ｄｕｍｍｙ）電極タップは、各々、上下にの積層固定される。同様に、実施例２の場合、右側群メインフレームの左側端メインフレームに収容される第１のタイプリチウム２次電池の左側電極タップを固定させる右側バスバー固定板と右側バスバー締結板との間にはダミー（ｄｕｍｍｙ）電極タップが引き込まれて固定される。右側バスバー固定板と右側バスバー締結板との間に固定されるダミー（ｄｕｍｍｙ）電極タップは、実施例１の特定メインフレームを除いたそれぞれのメインフレームに収容される第１のタイプリチウム２次電池の個数及び第２のタイプリチウム２次電池の個数と同一であり、これらのダミー（ｄｕｍｍｙ）電極タップは、各々、上下にの積層固定される。
【０１５３】
従って、実施例２の場合、実施例１の特定メインフレームを除いたそれぞれのメインフレームには多数個のリチウム２次電池が装着されるようになり、実施例２のリチウム２次電池装着構造はｘＰ（ｎ-１）Ｓタイプを有する。ここで、Ｐは、同一メインフレームの同一収容部に収容される一セット（ｓｅｔ）のリチウム２次電池は、相互並列に連結されていることを示し、ｘは、同一メインフレームの同一収容部に収容されて相互並列に連結されるリチウム２次電池の個数を示し、Ｓは、互いに異なる収容部に収容された一セットのリチウム２次電池は、相互直列に連結されていることを示し、（ｎ-１）は、相互直列に連結されている電池セット（ｓｅｔ）の個数を示す。２Ｐ５０Ｓの場合、５０個の電池セット（ｓｅｔ）が相互直列に連結されており、それぞれの電池セット（ｓｅｔ）は、２個のリチウム２次電池が並列に連結されて構成されていることを示す。即ち、総メインフレームの個数は２６個であり、総収容部の個数（総左側収容部と右側収容部とをたす数）は５２個であり、サーマルパッドが収容される特定メインフレームを除いたそれぞれのメインフレームの収容部には２個のリチウム２次電池が並列に連結されて収容されており、総リチウム２次電池の個数は１００個であることを示す。従って、実施例２は、ｘを変化させることによって容量（ｃａｐａｃｉｔｙ）を変更させることができ、（ｎ-１）を変化させることによって容易に電圧を変更させることができる。
【０１５４】
実施例２の場合、それぞれのメインフレームの左側端と右側端との間の幅は、それぞれのメインフレームに収容される第１のタイプリチウム２次電池の個数及び第２のタイプリチウム２次電池の個数が多くなるほど広くなる。
【０１５５】
特定メインフレームを除いたそれぞれのメインフレームに収容される第１のタイプリチウム２次電池及び第２のタイプリチウム２次電池の個数がｘ個であることによる相違点を除いては実施例１と同一であるため、以下、説明を省略する。
【実施例３】
【０１５６】
実施例３は、本発明によるバスバーを備えたリチウム２次電池単位セット（ｓｅｔ）の他の実施例である。
【０１５７】
図２３は、実施例３の上部ハウジングが取り外された状態の斜視図を示す。
【０１５８】
図２３を参照すると、実施例３は、実施例１または実施例２のリチウム２次電池単位セット１０００を有する。実施例１または実施例２のリチウム２次電池単位セット１０００は、リチウム２次電池ハウジング（図面符号無し）内部に設置される。
【０１５９】
図２３を参照すると、リチウム２次電池ハウジング（図面符号無し）は、下部ハウジング６１０と上部ハウジング６２０を有する。上部ハウジング６２０にはハウジング空気流入孔６２２及びハウジング空気流出孔６２４が形成される。
【０１６０】
図２３を参照すると、ハウジング空気流入孔６２２は、上部ハウジング６２０内面とそれぞれのメインフレーム（図面符号無し）の前方垂直板１３０-２との間に形成される前方空気流通路（図示せず）の延長線上に形成される。
【０１６１】
図２３を参照すると、ハウジング空気流出孔６２４は、上部ハウジング６２０内面とそれぞれのメインフレーム（図面符号無し）の後方垂直板（図示せず）との間に形成される後方空気流通路（図示せず）の延長線上に形成される。
【０１６２】
図２３を参照すると、ハウジング空気流入孔６２２の左側には冷却空気流入のための送風ファン（図示せず）が設置される。従って、送風ファン（図示せず）によってガイドされた冷却空気がハウジング空気流入孔６２２を通してリチウム２次電池ハウジング（図面符号無し）内部に流入した後、前方空気流通路（図示せず）及び後方空気流通路（図示せず）を経てハウジング空気流出孔６２４を通して流出される。この際、前方空気流通路（図示せず）を通る冷却空気の一部は、前方垂直板１３０-２の空気流通孔１３０-２ｈに流入され、後方垂直板（図示せず）の空気流通孔（図示せず）に流出されることによって、それぞれのメインフレームに収容された第１のタイプリチウム２次電池と第２のタイプリチウム２次電池の過熱を防止するようになる。
【実施例４】
【０１６３】
実施例４は、本発明によるバスバーを備えたリチウム２次電池単位セット（ｓｅｔ）の他の実施例である。
【０１６４】
図２４は、実施例４のリチウム２次電池ハウジングの上部ハウジング６２０の斜視図を示す。実施例４は、上部ハウジング６２０に形成されるハウジング空気流入孔６２２及びハウジング空気流出孔６２４の個数を除いては実施例３と同一である。
【０１６５】
図２４を参照すると、ハウジング空気流入孔６２２は、実施例３のように上部ハウジング６２０内面とそれぞれのメインフレーム（図面符号無し）の前方垂直板１３０-２（図２３参照）との間に形成される前方空気流通路（図示せず）の延長線上に形成される。しかし、実施例４は、実施例３と異なって、ハウジング空気流入孔６２２は、上記前方空気流通路（図示せず）の延長線上のうち上部ハウジング６２０の左側面及び右側面に各々形成される。図面には示されていないが、それぞれのハウジング空気流入孔６２２の外側には冷却空気流入のための送風ファン（図示せず）が各々設置される。
【０１６６】
図２４を参照すると、ハウジング空気流出孔６２４は、実施例３のように上部ハウジング６２０内面とそれぞれのメインフレーム（図面符号無し）の後方垂直板（図示せず）との間に形成される後方空気流通路（図示せず）の延長線上に形成される。しかし、実施例４は、実施例３と異なって、ハウジング空気流出孔６２４は、上記後方空気流通路（図示せず）の延長線上のうち上部ハウジング６２０の左側面及び右側面に各々形成される。
【０１６７】
実施例４は、通風経路を除いては実施例３と同一であるため、以下、説明を省略する。
【実施例５】
【０１６８】
実施例５は、本発明によるバスバーを備えたリチウム２次電池単位セット（ｓｅｔ）の他の実施例である。
【０１６９】
図２５は、実施例５のリチウム２次電池ハウジングの上部ハウジング６２０の斜視図を示す。実施例５は、上部ハウジング６２０に形成されるハウジング空気流入孔６２２及びハウジング空気流出孔６２４を除いては実施例３と同一である。
【０１７０】
図２５を参照すると、ハウジング空気流入孔６２２は、上部ハウジング６２０の前面に形成される。この際、図２３を共に参照すると、ハウジング空気流入孔６２２は、メインフレーム（図面符号無し）のうち左側端メインフレーム（図面符号無し）の前方垂直板１３０-２に形成された空気流通孔１３０-２ｈ前方から右側端メインフレーム（図面符号無し）の前方垂直板１３０-２に形成された空気流通孔１３０-２ｈ前方まで一体形で一つの通孔で形成される。図２５には示されていないが、ハウジング空気流入孔６２２の前方には冷却空気流入のための送風ファン（図示せず）が設置される。
【０１７１】
図２５を参照すると、ハウジング空気流出孔６２４は、上部ハウジング６２０の後面に形成され、ハウジング空気流入孔６２２に対向する位置に同一形状で形成される。
【０１７２】
実施例５は、通風経路を除いては実施例３と同一であるため、以下、説明を省略する。
【実施例６】
【０１７３】
実施例６は、本発明によるバスバーを備えたリチウム２次電池セット（ｓｅｔ）に関する。
【０１７４】
図２６は、実施例６の上部ハウジングが取り外された状態の斜視図を示す。
【０１７５】
図２６を参照すると、実施例６は、実施例１または実施例２のリチウム２次電池単位セット１０００を有する。実施例１または実施例２のリチウム２次電池単位セット１０００は、リチウム２次電池ハウジング（図面符号無し）内部に設置される。実施例１または実施例２のリチウム２次電池単位セット１０００は、前後に隣り合って多数個設置され、以下、２個が前後に隣り合って設置される場合に対して説明する。
【０１７６】
図２６を参照すると、２個のリチウム２次電池単位セット１０００は、前方リチウム２次電池単位セット１０００＋ｆの後方離隔突起１３０-７後端が後方リチウム２次電池単位セット１０００＋ｒの前方離隔突起１３０-６前端と接触することによって、前方リチウム２次電池単位セット１０００＋ｆの後方垂直板（図示せず）と後方リチウム２次電池単位セット１０００＋ｒの前方垂直板（図面符号無し）との間に中央空気流通路１００２が形成されるように設置される。
【０１７７】
図２６を参照すると、リチウム２次電池ハウジング（図面符号無し）は、下部ハウジング１６１０と上部ハウジング１６２０を有する。上部ハウジング１６２０にはハウジング空気流入孔１６２２及びハウジング空気流出孔１６２４-ｆ、１６２４-ｒが形成される。
【０１７８】
図２６を参照すると、ハウジング空気流入孔１６２２は、前方リチウム２次電池単位セット１０００＋ｆの後方垂直板（図示せず）と後方リチウム２次電池単位セット１０００＋ｒの前方垂直板（図面符号無し）との間に形成される中央空気流通路１００２の延長線上に形成される。
【０１７９】
図２６を参照すると、ハウジング空気流出孔１６２４-ｆは、上部ハウジング１６２０内面と前方リチウム２次電池単位セット１０００＋ｆを構成するそれぞれのメインフレーム（図面符号無し）の前方垂直板１３０-２との間に形成される前方空気流通路１００４-ｆ（図２７参照）の延長線上に形成される。ハウジング空気流出孔１６２４-ｒは、上部ハウジング１６２０内面と後方リチウム２次電池単位セット１０００＋ｒを構成するそれぞれのメインフレーム（図面符号無し）の後方垂直板（図示せず）との間に形成される後方空気流通路１００４-ｒ（図２７参照）の延長線上に形成される。
【０１８０】
図２６を参照すると、ハウジング空気流入孔１６２２の左側には冷却空気流入のための送風ファン（図示せず）が設置される。従って、送風ファン（図示せず）によってガイドされた冷却空気がハウジング空気流入孔１６２２を通してリチウム２次電池ハウジング（図面符号無し）内部に流入した後、中央空気流通路１００２、前方空気流通路１００４-ｆ（図２５参照）、及び後方空気流通路１００４-ｒ（図２５参照）を経てハウジング空気流出孔１６２４-ｆ、１６２４-ｒを通して流出される。図２７は、実施例６の通風経路の概略図を示す。図２７を共に参照すると、中央空気流通路１００２を通す冷却空気の一部は、前方リチウム２次電池単位セット１０００＋ｆの空気流通孔１３０-３ｈと後方リチウム２次電池単位セット１０００＋ｒの空気流通孔１３０-２ｈに流入され、各々前方リチウム２次電池単位セット１０００＋ｆの空気流通孔１３０-２ｈと後方リチウム２次電池単位セット１０００＋ｒの空気流通孔１３０-３ｈに流出される。
【実施例７】
【０１８１】
実施例７は、本発明によるバスバーを備えたリチウム２次電池セット（ｓｅｔ）の他の実施例である。
【０１８２】
図２８の（ａ）は、実施例７の上部ハウジングの斜視図を示す。実施例７は、上部ハウジング１６２０に形成されるハウジング空気流入孔１６２２及びハウジング空気流出孔１６２４-ｆ、１６２４-ｒを除いては実施例６と同一である。
【０１８３】
図２６を共に参照すると、実施例７は、実施例６と同様に、実施例１または実施例２のリチウム２次電池単位セット１０００を有する。実施例１または実施例２のリチウム２次電池単位セット１０００は、実施例６と同様に、リチウム２次電池ハウジング（図面符号無し）内部に設置される。実施例１または実施例２のリチウム２次電池単位セット１０００は、実施例６と同様に、前後に隣り合って多数個設置され、以下、２個が前後に隣り合って設置される場合に対して説明する。
【０１８４】
図２８の（ａ）を参照すると、上部ハウジング１６２０にはハウジング空気流入孔１６２２及びハウジング空気流出孔１６２４-ｆ、１６２４-ｒが形成される。
【０１８５】
図２６を共に参照すると、実施例６と同様に、ハウジング空気流入孔１６２２は、前方リチウム２次電池単位セット１０００＋ｆの後方垂直板（図示せず）と後方リチウム２次電池単位セット１０００＋ｒの前方垂直板（図面符号無し）との間に形成される中央空気流通路１００２の延長線上に形成される。しかし、実施例７は、実施例６と異なって、ハウジング空気流入孔１６２２は、上記中央空気流通路１００２の延長線上のうち上部ハウジング１６２０の左側面及び右側面に各々形成される。図面には示されていないが、それぞれのハウジング空気流入孔１６２２の外側には冷却空気流入のための送風ファン（図示せず）が各々設置される。
【０１８６】
図２６を共に参照すると、実施例６と同様に、ハウジング空気流出孔１６２４-ｆは、上部ハウジング１６２０内面と前方リチウム２次電池単位セット１０００＋ｆを構成するそれぞれのメインフレーム（図面符号無し）の前方垂直板１３０-２との間に形成される前方空気流通路１００４-ｆ（図２８の（ｂ）参照）の延長線上に形成される。しかし、実施例７は、実施例６と異なって、ハウジング空気流出孔１６２４-ｆは、上記前方空気流通路１００４-ｆ（図２７参照）の延長線上のうち上部ハウジング１６２０の左側面及び右側面に各々形成される。
【０１８７】
図２６を共に参照すると、実施例６と同様に、ハウジング空気流出孔１６２４-ｒは、上部ハウジング１６２０内面と後方リチウム２次電池単位セット１０００＋ｒを構成するそれぞれのメインフレーム（図面符号無し）の後方垂直板（図示せず）との間に形成される後方空気流通路１００４-ｒ（図２８の（ｂ）参照）の延長線上に形成される。しかし、実施例７は、実施例６と異なって、ハウジング空気流出孔１６２４-ｒは、上記後方空気流通路１００４-ｒ（図２８の（ｂ）参照）の延長線上のうち上部ハウジング１６２０の左側面及び右側面に各々形成される。
【０１８８】
図２８の（ｂ）には７の通風経路が概略的に示されている。
【実施例８】
【０１８９】
実施例８は、本発明によるバスバーを備えたリチウム２次電池セット（ｓｅｔ）の他の実施例である。
【０１９０】
図２９の（ａ）は、実施例８の上部ハウジングの斜視図を示す。実施例８は、上部ハウジング１６２０に形成されるハウジング空気流入孔１６２２及びハウジング空気流出孔１６２４を除いては実施例６と同一である。
【０１９１】
図２６を共に参照すると、実施例８は、実施例６と同様に、実施例１または実施例２のリチウム２次電池単位セット１０００を有する。実施例１または実施例２のリチウム２次電池単位セット１０００は、実施例６と同様に、リチウム２次電池ハウジング（図面符号無し）内部に設置される。実施例１または実施例２のリチウム２次電池単位セット１０００は、実施例６と同様に、前後に隣り合って多数個設置され、以下、２個が前後に隣り合って設置される場合に対して説明する。
【０１９２】
図２９の（ａ）を参照すると、上部ハウジング１６２０にはハウジング空気流入孔１６２２及びハウジング空気流出孔１６２４が形成される。
【０１９３】
図２６を共に参照すると、ハウジング空気流入孔１６２２は、上部ハウジング１６２０内面と前方リチウム２次電池単位セット１０００＋ｆを構成するそれぞれのメインフレーム（図面符号無し）の前方垂直板１３０-２との間に形成される前方空気流通路１００４-ｆ（図２９の（ｂ）参照）の延長線上に形成される。ハウジング空気流入孔１６２２は、上記前方空気流通路１００４-ｆ（図２９の（ｂ）参照）の延長線上のうち上部ハウジング１６２０の左側面及び右側面に各々形成される。図面には示されていないが、それぞれのハウジング空気流入孔１６２２の外側には冷却空気流入のための送風ファン（図示せず）が各々設置される。
【０１９４】
図２６を共に参照すると、ハウジング空気流出孔１６２４は、上部ハウジング１６２０内面と後方リチウム２次電池単位セット１０００＋ｒを構成するそれぞれのメインフレーム（図面符号無し）の後方垂直板（図示せず）との間に形成される後方空気流通路１００４-ｒ（図２９の（ｂ）参照）の延長線上に形成される。ハウジング空気流出孔１６２４は、上記後方空気流通路１００４-ｒ（図２９の（ｂ）参照）の延長線上のうち上部ハウジング１６２０の左側面及び右側面に各々形成される。
【０１９５】
図２９の（ｂ）には実施例８の通風経路が概略的に示されている。
【実施例９】
【０１９６】
実施例９は、本発明によるバスバーを備えたリチウム２次電池セット（ｓｅｔ）の他の実施例である。
【０１９７】
図３０の（ａ）は、実施例９の上部ハウジングの斜視図を示す。実施例９は、上部ハウジング１６２０に形成されるハウジング空気流入孔１６２２及びハウジング空気流出孔１６２４を除いては実施例６と同一である。
【０１９８】
図２６を共に参照すると、実施例９は、実施例６と同様に、実施例１または実施例２のリチウム２次電池単位セット１０００を有する。実施例１または実施例２のリチウム２次電池単位セット１０００は、実施例６と同様に、リチウム２次電池ハウジング（図面符号無し）内部に設置される。実施例１または実施例２のリチウム２次電池単位セット１０００は、実施例６と同様に、前後に隣り合って多数個設置され、以下、２個が前後に隣り合って設置される場合に対して説明する。
【０１９９】
図３０の（ａ）を参照すると、上部ハウジング１６２０にはハウジング空気流入孔１６２２及びハウジング空気流出孔１６２４が形成される。
【０２００】
図３０の（ａ）を参照すると、ハウジング空気流入孔１６２２は、上部ハウジング１６２０の前面に多数個形成される。それぞれのハウジング空気流入孔１６２２は、上記リチウム２次電池単位セットのうち最前方に位置したリチウム２次電池単位セットのそれぞれの前方垂直板に形成された空気流通孔１３０-２ｈ（図３０の（ｂ）参照）前方に形成される。図面には示されていないが、ハウジング空気流入孔１６２２の前方には冷却空気流入のための送風ファン（図示せず）が設置される。
【０２０１】
図３０の（ａ）を参照すると、ハウジング空気流出孔１６２４は、ハウジング空気流入孔１６２２と対向する位置に各々同一個数ほど形成される。
【０２０２】
図３０の（ｂ）には実施例９の通風経路が概略的に示されている。
【０２０３】
一方、実施例９のハウジング空気流入孔１６２２は、図２５に示すように、前方リチウム２次電池単位セット１０００＋ｆのうち左側端メインフレーム（図面符号無し）の前方垂直板（図面符号未付与、図２６参照）に形成された空気流通孔（図面符号未付与、図２６参照）前方から右側端メインフレーム（図面符号未付与、図２６参照）の前方垂直板（図面符号未付与、図２６参照）に形成された空気流通孔（図面符号未付与、図２６参照）前方まで一体形で一つの通孔で形成されることができる。この場合、ハウジング空気流出孔１６２４は、ハウジング空気流入孔１６２２と対向する位置に同一形状で形成される。
【符号の説明】
【０２０４】
１１０  左側エンドフレーム
１１０-６  前方離隔突起
１１０-７  後方離隔突起
１１０-１０  バスバー（ｂｕｓ ｂａｒ）ガイド管
１１０-１２  下部前方結合突起
１１０-１３  下部後方結合突起
１２０  右側エンドフレーム
１２０-２ｇ  温度センサー前方挿着溝
１２０-３ｇ  温度センサー後方挿着溝
１２０-１２  下部前方結合突起
１２０-１２ｐ  中空締結突起
１２０-１３  下部後方結合突起
１２０-１３ｐ  中空締結突起
１２０-６  前方離隔突起
１２０-６ｐ  中空締結突起
１２０-６ｇ  取付溝
１２０-６ｓ  小幅部
１２０-６ｌ  大幅部
１２０-６ｓｌ  左側突出部
１２０-７  後方離隔突起
１２０-７ｐ  中空締結突起
１２０-７ｇ  取付溝
１２０-７ｓ  小幅部
１２０-７ｌ  大幅部
１２０-７ｓｌ  左側突出部
１２０-８  第４のタップ支持部
１２０-８ｐ  嵌合突起
１２０-９  第４の仮想タップ支持部
１２０-９ｐ  仮想嵌合突起
１２０-１０  バスバー（ｂｕｓ ｂａｒ）ガイド管
１３０＋１、...、１３０＋ｒ、１３０＋（ｒ＋１）、...、１３０＋ｎ  メインフレーム
１３０＋ｒ  左側メインフレーム
１３０＋（ｒ＋１）  右側メインフレーム
１３０-１  底板
１３０-２  前方垂直板
１３０-２ｈ  空気流通孔
１３０-２ｌｇ  左側溝
１３０-２ｒｇ  右側溝
１３０-３  後方垂直板
１３０-３ｈ  空気流通孔
１３０-３ｒｇ  右側溝
１３０-３ｌｇ  左側溝
１３０-５  後方垂直支持台
１３０-５ｈ  空気流通孔
１３０-６  前方離隔突起
１３０-６ｇ  取付溝
１３０-６ｓ  小幅部
１３０-６ｌ  大幅部
１３０-６ｈ  締結孔
１３０-７  後方離隔突起
１３０-７ｇ  取付溝
１３０-７ｓ  小幅部
１３０-７ｌ  大幅部
１３０-７ｈ  締結孔
１３０-８  第１のタップ支持部
１３０-８ｐ  嵌合突起
１３０-９  第１の保護蓋固定部
１３０-９ｈ  締結孔
１３０-１０  バスバー（ｂｕｓ ｂａｒ）ガイド管
１３０-１２  下部前方結合突起
１３０-１２ｈ  締結孔
１３０-１３  下部後方結合突起
１３０-１３ｈ  締結孔
ＬＳ  左側収容部
ＲＳ  右側収容部
２３０＋ｒ  センターフレーム
２３０-２ｇ  温度センサー前方挿着溝
２３０-３ｇ  温度センサー後方挿着溝
２３０-６  上部前方結合突起
２３０-６ｐ  中空締結突起
２３０-７  上部後方結合突起
２３０-７ｐ  中空締結突起
２３０-８  第２のタップ支持部
２３０-８ｐ  嵌合突起
２３０-９  第２の保護蓋固定部
２３０-９ｈ  締結孔
２３０-１０  バスバー（ｂｕｓ ｂａｒ）ガイド管
２３０-１２  下部前方結合突起
２３０-１２ｐ  中空締結突起
２３０-１３  下部後方結合突起
２３０-１３ｐ  中空締結突起
ｆｈ  前方貫通孔
１３０-６ｔ１  第１の隙間
３１０＋ｉ  第１のタイプリチウム２次電池
３１０＋（ｒ＋１）  第１のタイプリチウム２次電池
３１０-ＬＴ  左側電極タップ
３１０-ｌｔｈ  締結溝
３１０-ＲＴ  右側電極タップ
３１０-ｒｔｈ  締結溝
３２０＋ｉ  第２のタイプリチウム２次電池
３２０＋ｒ  第２のタイプリチウム２次電池
３２０-ＬＴ  左側電極タップ
３２０-ｌｔｈ  締結溝
３２０-ＲＴ  右側電極タップ
３２０-ｒｔｈ  締結溝
４１０＋ｉ  第１の締結手段
４１０-１  第１の下部固定板
４１０-２  第１の上部固定板
４１０-２ｃ  固定板コネクター
４１０-３  第１の締結部材
４２０＋ｊ  第２の締結手段
４２０-１  第２の下部固定板
４２０-２  第２の上部固定板
４２０-２ｃ  固定板コネクター
４２０-３  第２の締結部材
４３０  第３の締結手段
４３０-１  第３の下部固定板
４３０-２  第３の上部固定板
４３０-２ｃ  固定板コネクター
４３０-３  第３の締結部材
４３０-ｄｔ  ダミー（ｄｕｍｍｙ）電極タップ
４４０  第４の締結手段
４４０-１  第４の下部固定板
４４０-２  第４の上部固定板
４４０-２ｃ  固定板コネクター
４４０-３  第４の締結部材
４４０-ｄｔ  ダミー（ｄｕｍｍｙ）電極タップ
５００  保護蓋
５１０  第１の保護蓋部
５１２  第１の締結板
５１２-１  支持台
５１２-３  締結突起
５２０  第２の保護蓋部
５２２  第２の締結板
５２２-１  支持台
５２２-３  締結突起
６１０  下部ハウジング
６２０  上部ハウジング
６２２  ハウジング空気流入孔
６２４  ハウジング空気流出孔
７１０  左側バスバー
７１１  左側バスバー締結板
７１１ｃ  締結板コネクター
７１２  左側バスバー延長部
７１３  左側バスバー締結タップ
７１３ｈ  締結溝
７２０  右側バスバー
７２１  右側バスバー締結板
７２１ｃ  締結板コネクター
７２２  右側バスバー延長部
７２３  右側バスバー締結タップ
７２３ｈ  締結溝
８１０  左側バスバー締結手段
８１０-ｄｔ  ダミー（ｄｕｍｍｙ）電極タップ
８１１  左側バスバー固定板
８１３  左側バスバー締結部材
８２０  右側バスバー締結手段
８２０-ｄｔ  ダミー（ｄｕｍｍｙ）電極タップ
８２１  右側バスバー固定板
８２３  右側バスバー締結部材
９１０  左側サーマルパッド
９１０ｌｐ  左側突出部
９１０ｒｐ  右側突出部
９２０  右側サーマルパッド
９２０ｌｐ  左側突出部
１０００＋ｆ  前方リチウム２次電池単位セット
１０００＋ｒ  後方リチウム２次電池単位セット
１００２  中央空気流通路
１００４-ｆ  前方空気流通路
１００４-ｒ  後方空気流通路
１６１０  下部ハウジング
１６２０  上部ハウジング
１６２２  ハウジング空気流入孔
１６２４  ハウジング空気流出孔
１６２４-ｆ、１６２４-ｒ  ハウジング空気流出孔
【図１】
0005465726.tif 000002
【図２】
0005465726.tif 000003
【図３】
0005465726.tif 000004
【図４】
0005465726.tif 000005
【図５】
0005465726.tif 000006
【図６】
0005465726.tif 000007
【図７】
0005465726.tif 000008
【図８】
0005465726.tif 000009
【図９】
0005465726.tif 000010
【図１０】
0005465726.tif 000011
【図１１】
0005465726.tif 000012
【図１２】
0005465726.tif 000013
【図１３】
0005465726.tif 000014
【図１４】
0005465726.tif 000015
【図１５】
0005465726.tif 000016
【図１６】
0005465726.tif 000017
【図１７】
0005465726.tif 000018
【図１８ａ】
0005465726.tif 000019
【図１８ｂ】
0005465726.tif 000020
【図１９】
0005465726.tif 000021
【図２０】
0005465726.tif 000022
【図２１】
0005465726.tif 000023
【図２２】
0005465726.tif 000024
【図２３】
0005465726.tif 000025
【図２４】
0005465726.tif 000026
【図２５】
0005465726.tif 000027
【図２６】
0005465726.tif 000028
【図２７】
0005465726.tif 000029
【図２８】
0005465726.tif 000030
【図２９】
0005465726.tif 000031
【図３０】
0005465726.tif 000032